(57)【要約】  本発明は、１種以上の精製ヒドロフルオロカーボン化合物を含む冷媒ブレンドを調製するためのプロセスに関し、１種以上のヒドロフルオロカーボン化合物は、１種以上の冷蔵、空調、又はヒートポンプシステムから回収され、精製されている。【特許請求の範囲】
【請求項１】
１種以上の回収されたヒドロフルオロカーボン化合物を含む冷媒ブレンドを調製するプロセスであって、
（ａ）１種以上の冷蔵システムから前記１種以上のヒドロフルオロカーボンを回収する工程と、
（ｂ）前記１種以上のヒドロフルオロカーボン化合物を精製して、１種以上の精製ヒドロフルオロカーボン化合物を形成する工程と、
（ｃ）前記１種以上の精製ヒドロフルオロカーボン化合物を、約２０未満の地球温暖化係数を有する１種以上のヒドロフルオロオレフィンとブレンドして、前記冷媒ブレンドを形成する工程と、を含み、
前記１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される、プロセス。
【請求項２】
前記１種以上のヒドロフルオロオレフィンの各々が、約１０未満の有効地球温暖化係数を有する、請求項１に記載のプロセス。
【請求項３】
前記１種以上のヒドロフルオロオレフィンの各々が、約２未満の有効地球温暖化係数を有する、請求項１に記載のプロセス。
【請求項４】
前記１種以上のヒドロフルオロオレフィンの各々が、約１未満の有効地球温暖化係数を有する、請求項１に記載のプロセス。
【請求項５】
工程（ｂ）が、工程（ｃ）の混合の前に１回以上実行される、請求項１に記載のプロセス。
【請求項６】
（ｄ）１種以上の冷蔵、空調、又はヒートポンプシステムから、前記１種以上のヒドロフルオロオレフィンを回収する工程と、
（ｅ）前記１種以上のヒドロフルオロオレフィンを精製して、１種以上の精製ヒドロフルオロオレフィンを形成する工程と、を更に含む、請求項１に記載のプロセス。
【請求項７】
工程（ｄ）及び（ｅ）が各々、工程ｃ）の前記ブレンドの前に実行される、請求項６に記載のプロセス。
【請求項８】
前記１種以上の精製ヒドロフルオロカーボン又は精製ヒドロフルオロオレフィン化合物の各々が、約０の有効地球温暖化係数を有する、請求項６に記載のプロセス。
【請求項９】
前記１種以上のヒドロフルオロオレフィンが、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、請求項１に記載のプロセス。
【請求項１０】
前記ヒドロフルオロカーボン化合物が、ジフルオロメタン（Ｒ−３２）である、請求項９に記載のプロセス。
【請求項１１】
前記ヒドロフルオロオレフィンが、２，３，３，３−テトラフルオロプロペン（ＨＦＯ−１２３４ｙｆ）である、請求項１０に記載のプロセス。
【請求項１２】
前記冷媒ブレンドが、
約２１〜約２２重量パーセントの精製ジフルオロメタン（Ｒ−３２）と、
約７８〜約７９重量パーセントの２，３，３，３−テトラフルオロプロペン（ＨＦＯ−１２３４ｙｆ）と、を含む、請求項１１に記載のプロセス。
【請求項１３】
前記冷媒ブレンドが、
約６８〜約６９重量パーセントの精製ジフルオロメタン（Ｒ−３２）と、
約３０〜約３１重量パーセントの２，３，３，３−テトラフルオロプロペン（ＨＦＯ−１２３４ｙｆ）と、を含む、請求項１１に記載のプロセス。
【請求項１４】
前記冷媒ブレンドが、
約３４〜約３６重量パーセントの精製ジフルオロメタン（Ｒ−３２）と、
約６４〜約６６重量パーセントの２，３，３，３−テトラフルオロプロペン（ＨＦＯ−１２３４ｙｆ）と、を含む、請求項１１に記載のプロセス。
【請求項１５】
前記ヒドロフルオロカーボンが、ジフルオロメタン（Ｒ−３２）とペンタフルオロエタン（Ｒ−１２５）との混合物である、請求項９に記載のプロセス。
【請求項１６】
前記ヒドロフルオロオレフィンが、２，３，３，３−テトラフルオロプロペン（ＨＦＯ−１２３４ｙｆ）である、請求項１５に記載のプロセス。
【請求項１７】
前記冷媒ブレンドが、
約６６〜約６８重量パーセントの精製ジフルオロメタン（Ｒ−３２）と、
約６〜約８重量パーセントの精製ペンタフルオロエタン（Ｒ−１２５）と、
約２５〜約２７重量パーセントの２，３，３，３−テトラフルオロプロペン（ＨＦＯ−１２３４ｙｆ）と、を含む、請求項１６に記載のプロセス。
【請求項１８】
１種以上のヒドロフルオロカーボン化合物が、ジフルオロメタン（Ｒ−３２）と、ペンタフルオロエタン（Ｒ−１２５）と、１，１，１，２−テトラフルオロエタン（Ｒ−１３４ａ）との混合物である、請求項９に記載のプロセス。
【請求項１９】
前記ヒドロフルオロオレフィンが、２，３，３，３−テトラフルオロプロペン（ＨＦＯ−１２３４ｙｆ）である、請求項１８に記載のプロセス。
【請求項２０】
前記冷媒ブレンドが、
約２４〜約２５重量パーセントの精製ジフルオロメタン（Ｒ−３２）と、
約２４〜約２５重量パーセントの精製ペンタフルオロエタン（Ｒ−１２５）と、
約２５〜約２６重量パーセントの精製１，１，１，２−テトラフルオロエタン（Ｒ−１３４ａ）と、
約２５〜約２６重量パーセントの２，３，３，３−テトラフルオロプロペン（ＨＦＯ−１２３４ｙｆ）と、を含む、請求項１９に記載のプロセス。
【請求項２１】
前記ヒドロフルオロカーボン化合物が、１，１，１，２−テトラフルオロエタン（Ｒ−１３４ａ）である、請求項９に記載のプロセス。
【請求項２２】
前記ヒドロフルオロオレフィンが、２，３，３，３−テトラフルオロプロペン（ＨＦＯ−１２３４ｙｆ）である、請求項２１に記載のプロセス。
【請求項２３】
前記冷媒ブレンドが、
約４３〜約４５重量パーセントの精製１，１，１，２−テトラフルオロエタン（Ｒ−１３４ａ）と、
約５５〜約５７重量パーセントの２，３，３，３−テトラフルオロプロペン（ＨＦＯ−１２３４ｙｆ）と、を含む、請求項２２に記載のプロセス。
【請求項２４】
前記冷蔵システムが、空調機、冷凍庫、冷蔵庫、冷却機、ヒートポンプ、移動式冷蔵庫、移動式空調ユニット、浸漬冷却システム、データセンター冷却システム、又はこれらの任意の組み合わせを含む、請求項１に記載のプロセス。
【請求項２５】
前記空調機が、自動車用空調機である、請求項２４に記載のプロセス。
【請求項２６】
前記ヒートポンプが、高温ヒートポンプである、請求項２４に記載のプロセス。
【請求項２７】
前記冷却機が、冷水機、満液式蒸発器冷却機、直接膨張冷却機、スクリュー冷却機、スクロール冷却機、又は遠心冷却機である、請求項２４に記載のプロセス。
【請求項２８】
前記冷蔵庫が、ウォークイン冷蔵庫である、請求項２４に記載のプロセス。
【請求項２９】
前記冷凍庫が、ウォークイン冷凍庫である、請求項２４に記載のプロセス。
【請求項３０】
工程（ｂ）の前記精製が、前記１種以上のヒドロフルオロカーボン化合物から固形不純物を除去することを含む、請求項１に記載のプロセス。
【請求項３１】
前記固形不純物が、圧力濾過、真空濾過、膜遠心濾過、重力濾過、深層濾過、粒状床濾過、炭素、繊維、又は金属濾過を使用するカートリッジ濾過、及びプレコート濾過から選択される１種以上の精製技術によって除去される、請求項２２に記載のプロセス。
【請求項３２】
工程（ｂ）の前記精製が、前記１種以上のヒドロフルオロカーボン化合物から、液体不純物、気体不純物、又はこれらの組み合わせを除去することを含む、請求項１に記載のプロセス。
【請求項３３】
前記液体不純物、気体不純物、又はこれらの組み合わせが、蒸留、デカンテーション、分子篩との接触、及び蒸気空間パージ（vapor space purging）から選択される１種以上の精製技術によって除去される、請求項２４に記載のプロセス。
【請求項３４】
工程（ｅ）の前記精製が、前記１種以上のヒドロフルオロオレフィンから固形不純物を除去することを含む、請求項７に記載のプロセス。
【請求項３５】
前記固形不純物が、圧力濾過、真空濾過、膜遠心濾過、重力濾過、深層フィルタ濾過、粒状床濾過、炭素、繊維、又は金属濾過を使用するカートリッジ濾過、及びプレコート濾過から選択される１種以上の精製技術によって除去される、請求項３４に記載のプロセス。
【請求項３６】
工程（ｅ）の前記精製が、前記１種以上のヒドロフルオロオレフィンから、液体不純物、気体不純物、又はこれらの組み合わせを除去することを含む、請求項７に記載のプロセス。
【請求項３７】
前記液体不純物、気体不純物、又はこれらの組み合わせが、蒸留、デカンテーション、分子篩との接触、及び蒸気空間パージ（vapor space purging）から選択される１種以上の精製技術によって除去される、請求項３６に記載のプロセス。
【請求項３８】
冷媒ブレンドの地球温暖化係数を低下させるプロセスであって、
（ａ）１種以上の冷蔵システムから回収された１種以上のヒドロフルオロカーボンを選択する工程と、
（ｂ）前記１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、精製冷媒ブレンドを形成する工程と、を含み、
前記精製冷媒ブレンドが、前記１種以上のヒドロフルオロオレフィン、並びに工程（ｂ）〜（ｃ）に従って回収及び精製されていない１種以上のヒドロフルオロカーボン化合物を含む冷媒ブレンドと比較して、低下した地球温暖化係数を有し、
前記１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）から選択される、プロセス。
【請求項３９】
前記１種以上のヒドロフルオロオレフィンが、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、請求項３８に記載のプロセス。
【請求項４０】
前記冷媒ブレンドが、前記１種以上のヒドロフルオロオレフィン、並びに工程（ｂ）〜（ｃ）に従って回収及び精製されていない１種以上のヒドロフルオロカーボン化合物を含む冷媒ブレンドの地球温暖化係数と比較して、約１０％以下である有効地球温暖化係数を有する、請求項３８に記載のプロセス。
【請求項４１】
前記精製冷媒ブレンドが、前記１種以上のヒドロフルオロオレフィン、並びに工程（ｂ）〜（ｃ）に従って回収及び精製されていない１種以上のヒドロフルオロカーボン化合物を含む冷媒ブレンドの地球温暖化係数と比較して、約５％以下である有効地球温暖化係数を有する、請求項３８に記載のプロセス。
【請求項４２】
前記冷媒ブレンドが、前記１種以上のヒドロフルオロオレフィン、並びに工程（ｂ）〜（ｃ）に従って回収及び精製されていない１種以上のヒドロフルオロカーボン化合物を含む冷媒ブレンドの地球温暖化係数と比較して、約１％以下である有効地球温暖化係数を有する、請求項３８に記載のプロセス。
【請求項４３】
請求項１に記載のプロセスに従って調製された冷媒ブレンドを含む、冷蔵、空調、又はヒートポンプシステム。
【発明の詳細な説明】
【技術分野】
【０００１】
（関連出願の相互参照）
本出願は、２０１８年６月２８日出願の米国特許仮出願第６２／６９１，４９０号の利益を主張し、参照によりその開示全体が本明細書に組み込まれる。
【０００２】
（発明の分野）
本発明は、１種以上の精製ヒドロフルオロカーボン化合物を含む冷媒ブレンドを調製するためのプロセスに関し、１種以上のヒドロフルオロカーボン化合物は、１種以上の冷蔵システムから回収され、精製されている。
【背景技術】
【０００３】
過去数十年間にわたり、多くの産業でオゾン破壊性のクロロフルオロカーボン（ＣＦＣ）類及びヒドロクロロフルオロカーボン（ＨＣＦＣ）類に代わる代替物を見つける取り組みがなされてきた。ＣＦＣ及びＨＣＦＣは、エアゾール噴射剤、冷媒、洗浄剤、熱可塑性及び熱硬化性発泡体用の膨張剤、伝熱媒体、気体誘電体、消火剤及び抑火剤、動力サイクル作動流体、重合媒体、微粒子除去流体、キャリア流体、バフ磨き研磨剤、並びに置換乾燥剤としての使用を含む、幅広い用途において使用されてきた。これら多用途の化合物に代わる代替物の探索において、多くの産業でヒドロフルオロカーボン（ＨＦＣ）類及び／又はヒドロフルオロオレフィン（ＨＦＯ）類の使用が注目されている。低オゾン層破壊係数及び低地球温暖化係数を有するＨＦＯは、飽和ＣＦＣに代わる候補とみなされ、冷媒としての使用を含む幅広い用途で使用することができる。
【先行技術文献】
【特許文献】
【０００４】
【特許文献１】米国特許仮出願第６２／６９１，４９０号
【発明の概要】
【課題を解決するための手段】
【０００５】
本出願は、とりわけ、１種以上の回収されたヒドロフルオロカーボン化合物を含む冷媒ブレンドを調製するプロセスであって、
（ａ）１種以上の冷蔵、空調、又はヒートポンプシステムから、１種以上のヒドロフルオロカーボンを回収する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、冷媒ブレンドを形成する工程と、を含み、
１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される、プロセスを提供する。
【０００６】
本出願は、冷媒ブレンドの地球温暖化係数を低下させるプロセスであって、
（ａ）１種以上の冷蔵、空調、又はヒートポンプシステムから回収された１種以上のヒドロフルオロカーボンを選択する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、精製冷媒ブレンドを形成する工程と、を含み、
精製冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、低下した地球温暖化係数を有し、
１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される、プロセスを更に提供する。
【０００７】
本出願は、本明細書に記載のプロセスに従って調製された冷媒ブレンドを含む、冷蔵、空調、又はヒートポンプシステムを更に提供する。
【０００８】
特に定義しない限り、本明細書で使用される全ての技術的及び科学的用語は、本発明の属する当該技術分野の当業者によって一般的に理解されるものと同一の意味を有する。本発明で使用するための方法及び材料が本明細書に記載されており、また、当該技術分野において既知の他の好適な方法及び材料を使用してもよい。材料、方法、及び実施例は、単なる例証であり、限定することを意図するものではない。本明細書で言及される全ての刊行物、特許出願、特許、配列、データベースエントリ、及び他の参考文献は、参照によりその全体が本明細書に組み込まれる。矛盾が生じた場合には、定義を含め、本明細書が優先される。
【発明を実施するための形態】
【０００９】
地球温暖化係数（ＧＷＰ）は、１キログラムの二酸化炭素の排出と比較して、１キログラムの特定の温室効果ガスの大気排出に起因する相対的な地球温暖化への関与を推定するための指数である。ＧＷＰは、様々な対象期間について計算することができ、所与のガスの大気寿命の影響を示す。１００年間を対象期間とする地球温暖化係数（ＧＷＰ）が、一般的に参照される値である。
【００１０】
ＧＷＰは、１トンのガスの排出が所与の期間にわたってどのくらいのエネルギーを吸収するかの尺度であるため、装置又はシステムでの使用から回収され、続いてリサイクル及び／又は精製される化合物（例えば、ヒドロフルオロカーボン又はヒドロフルオロオレフィン）は、冷媒混合物又はブレンドの作製に使用するために新たに製造された化合物と比較して、最小又は更にはゼロの「有効ＧＷＰ」に寄与する。明確にするために、回収は、冷蔵、空調、又はヒートポンプシステムから、そのシステムでいくらかの期間にわたって使用した後、冷媒を除去するプロセスを記述することを意味する。再利用は、回収された化合物又はブレンドの洗浄／精製を意味することを意図し、使用済み冷媒から潤滑剤、固形分、水、及び空気などの不純物を除去すること、並びにまた冷媒混合物の組成物を潜在的に調整することを含む。再利用は、現場で、又は「再利用設備」若しくは使用済み冷媒の回収、精製、及び再販を専門とする実体で達成され得る。リサイクルは、システムから冷媒を現場で除去すること、次いで同じ又は類似のシステムへの洗浄及び再導入が最小限から全くないことを意味することを意図する。したがって、本明細書で使用するとき、「有効ＧＷＰ」という用語は、装置又はシステムでの使用から回収され、続いて本明細書で提供されるプロセスのうちの１つ以上に従って再利用、リサイクル、及び／又は精製されたヒドロフルオロカーボン又はヒドロフルオロオレフィンなどの化合物を含有する冷媒混合物又はブレンドのＧＷＰを指す。そのような混合物の有効ＧＷＰは、冷媒混合物又はブレンド中で使用するために新たに製造される「バージン」成分のみを含有する冷媒混合物又はブレンドのＧＷＰに対して、有意に低下させることができる。冷媒ブレンドの回収され、再利用／リサイクル／精製された部分は、存在する地球温暖化化合物の正味の地球供給には加えられず、したがって冷媒ブレンドの回収された部分は、冷媒混合物又はブレンドのＧＷＰに対する寄与がゼロである。冷媒は、リサイクル、再利用、又は精製の工程なしで回収及び再使用することができるが、そのような再使用は、意図したとおりには機能しない場合があり、未精製冷媒が後に使用されるシステムに有害である場合があることに留意されたい。
【００１１】
本明細書で使用するとき、「オゾン層破壊係数（ＯＤＰ）」という用語は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ，２００２，Ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ」のセクション１．４．４、ページ１．２８〜１．３１（このセクションの最初の段落を参照）で定義されている。オゾン層破壊係数（ＯＤＰ）は、フルオロトリクロロメタン（ＣＦＣ−１１）の質量に対する質量を基準とした化合物から予想される成層圏オゾン層破壊の度合いを表す。
【００１２】
性能係数（ＣＯＰ）は、圧縮機を動作させるのに必要なエネルギーで割った、蒸発器で除去された熱の量である。ＣＯＰが高いほど、エネルギー効率が高くなる。ＣＯＰは、エネルギー効率比（ＥＥＲ）、すなわち特定の組の内部温度及び外部温度での冷蔵又は空調設備についての効率評定に直接的に関する。
【００１３】
本明細書で使用するとき、「含む（comprises）」、「含む（comprising）」、「含む（includes）」、「含む（including）」、「有する（has）」、「有する（having）」という用語、又はこれらの他の任意の変化形は、非排他的な包含を網羅することを意図する。例えば、要素のリストを含むプロセス、方法、物品、又は装置は、これらの要素に必ずしも限定されるものではなく、そのようなプロセス、方法、物品、又は装置に対して明示的に記載されていない、又はこれらに固有のものではない、他の要素も含む場合がある。更に、明示的にこれに反する記載がない限り、「又は」は、包括的な「又は」を指し、排他的な「又は」を指すものではない。例えば、条件Ａ又はＢは、以下、すなわち、Ａが真であり（又は存在し）かつＢが偽である（又は存在しない）、Ａが偽であり（又は存在しない）かつＢが真である（又は存在する）、並びにＡ及びＢの両方が真である（又は存在する）のいずれか１つにより満たされる。
【００１４】
本発明で使用するとき、「から本質的になる」は、これらの追加的に含まれる材料、工程、特徴、成分、又は要素が、特許請求される発明の基本的及び新規の特徴（複数可）、特に本発明のプロセスのいずれかの所望の結果を達成するための作用機序に実質的に影響を及ぼさないことを条件に、文字どおり開示されているものに加えて、材料、工程、特徴、成分、又は要素を含む、組成物、方法を定義するために使用される。「から本質的になる（consists essentially of）」又は「から本質的になる（consisting essentially of）」という用語は、「含む」と「からなる」との間の中間の立場をとる。
【００１５】
また、「ａ」又は「ａｎ」の使用は、本明細書に記載された要素及び成分を記述するために用いられる。これは、単に便宜上なされるものであり、及び本発明の範囲の一般的な意味を与えるためのものである。この記載は、１つ又は少なくとも１つを含むものと解釈されるべきであり、単数形は、別の意味を有することが明白でない限り、複数形も含む。
【００１６】
本明細書で使用するとき、「約」という用語は、実験誤差による変動（例えば、示された値のプラスマイナス約１０％）を考慮することを意味する。本明細書で報告される全ての測定値は、特に明記しない限り、「約」という用語が明示的に使用されているか否かに関わらず、「約」という用語によって修飾されるものと理解される。
【００１７】
量、濃度、又は他の値若しくはパラメータが、ある範囲、好ましい範囲、又は好ましい上方値及び／若しくは好ましい下方値のリストのいずれかとして与えられている場合に、これらは、範囲が別個に開示されているかに関わらず、任意の範囲上限値又は好ましい上方値及び任意の範囲下限値又は好ましい下方値の任意の対から形成される全ての範囲を、具体的に開示するものとして、理解されるものとする。本明細書に数値範囲が記述されている場合、特に指示しない限り、この範囲は、その端点を包含し、かつその範囲内の全ての整数及び分数を包含することが意図されている。
【００１８】
以下の略語が、本明細書で使用され得、当業者によって容易に理解されるであろう。
ＣＦＣ：クロロフルオロカーボン
ＣＯＰ：性能係数
ＧＷＰ：地球温暖化係数
ＨＦＣ：ヒドロフルオロカーボン
ＨＣＦＣ：ヒドロクロロフルオロカーボン
ＨＣＦＯ：ヒドロクロロフルオロオレフィン
ＨＦＯ：ヒドロフルオロオレフィン
ＯＤＰ：オゾン層破壊係数
Ｒ−３２又はＨＦＣ−３２：ジフルオロメタン
Ｒ−１２５又はＨＦＣ−１２５：ペンタフルオロエタン
Ｒ−１３４ａ又はＨＦＣ−１３４ａ：１，１，１，２−テトラフルオロエタン
Ｒ−１５２ａ又はＨＦＣ−１５２ａ：１，１−ジフルオロエタン
Ｒ−１３４又はＨＦＣ−１３４：１，１，２，２−テトラフルオロエタン
Ｒ−２２７ｅａ又はＨＦＣ−２２７ｅａ：１，１，１，２，３，３，３−ヘプタフルオロプロパン
ＨＦＯ−１３３６ｍｚｚ又は１３３６ｍｚｚ：１，１，１，４，４，４−ヘキサフルオロブタ−２−エン（異性体の混合物）
ＨＦＯ−１３３６ｍｚｚ−（Ｚ）又は１３３６ｍｚｚ（Ｚ）：（Ｚ）−１，１，１，４，４，４−ヘキサフルオロブタ−２−エン
ＨＦＯ−１３３６ｍｚｚ−（Ｅ）又は１３３６ｍｚｚ（Ｅ）：（Ｅ）−１，１，１，４，４，４−ヘキサフルオロブタ−２−エン
ＨＦＯ−１２２５ｙｅ−（Ｅ）又は１２２５ｙｅ（Ｅ）：（Ｅ）−１，２，３，３，３−ペンタフルオロプロペン
ＨＦＯ−１２３４ｙｆ又は１２３４ｙｆ：２，３，３，３−テトラフルオロプロペン
ＨＦＯ−１２３４ｚｅ又は１２３４ｚｅ：１，３，３，３−テトラフルオロプロペン（異性体の混合物）
ＨＦＯ−１２３４ｚｅ−（Ｚ）又は１２３４ｚｅ（Ｚ）：（Ｚ）−１，３，３，３−テトラフルオロプロペン
ＨＦＯ−１２３４ｚｅ−（Ｅ）又は１２３４ｚｅ（Ｅ）：（Ｅ）−１，３，３，３−テトラフルオロプロペン
ＨＦＯ−１１２３又は１１２３：トリフルオロエチレン
ＨＦＯ−１２４３ｚｆ又は１２４３ｚｆ：３，３，３−トリフルオロプロペン
Ｒ−４０７Ａ：ＡＳＨＲＡＥによってＲ−３２、Ｒ−１２５、及びＲ−１３４ａを（それぞれ２０／２０／４０重量パーセントで）含有するものとして指定される冷媒ブレンド
Ｒ−４０７Ｃ：ＡＳＨＲＡＥによってＲ−３２、Ｒ−１２５、及びＲ−１３４ａを（それぞれ２３／２５／５２重量パーセントで）含有するものとして指定される冷媒ブレンド
Ｒ−４１０Ａ：ＡＳＨＲＡＥによってＲ−３２及びＲ−１２５を（それぞれ５０／５０重量パーセントで）含有するものとして指定される冷媒ブレンド
Ｒ−４５４Ａ：ＡＳＨＲＡＥによってＲ−３２及びＨＦＯ−１２３４ｙｆを（それぞれ３５／６５重量パーセントで）含有するものとして指定される冷媒ブレンド
Ｒ−４５４Ｂ：ＡＳＨＲＡＥによってＲ−３２及びＨＦＯ−１２３４ｙｆを（それぞれ６８．９／３１．１重量パーセントで）含有するものとして指定される冷媒ブレンド
Ｒ−４５４Ｃ：ＡＳＨＲＡＥによってＲ−３２及びＲ−ＨＦＯ−１２３４ｙｆを（それぞれ２１．５／７８．５重量パーセントで）含有する指定されるものとして冷媒ブレンド
Ｒ−４４９Ａ：Ｒ４５４Ａ：ＡＳＨＲＡＥによってＲ−３２、Ｒ−１２５、Ｒ−１３４ａ、及びＨＦＯ−１２３４ｙｆを（それぞれ２４．３／２４．７／２５．７／２５．３重量パーセントで）含有するものとして指定される冷媒ブレンド
Ｒ−５１３Ａ：ＡＳＨＲＡＥによってＲ−１３４ａ及びＨＦＯ−１２３４ｙｆを（それぞれ４４／５６重量パーセントで）含有するものとして指定される冷媒ブレンド
【００１９】
本発明の組成物を調製するためのプロセス
本出願は、１種以上の回収されたヒドロフルオロカーボン化合物を含む冷媒ブレンドを調製するプロセスであって、
（ａ）１種以上の冷蔵、空調、又はヒートポンプシステムから、１種以上のヒドロフルオロカーボンを回収する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約５０未満の地球温暖化係数を有する１種以上のヒドロフルオロオレフィンとブレンドして、冷媒ブレンドを形成する工程と、を含む、プロセスを提供する。
【００２０】
いくつかの実施形態では、１種以上のヒドロフルオロカーボン化合物は、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される。
【００２１】
いくつかの実施形態では、ヒドロフルオロカーボン化合物は、ジフルオロメタン（Ｒ−３２）である。
【００２２】
いくつかの実施形態では、ヒドロフルオロカーボン化合物は、ペンタフルオロエタン（Ｒ−１２５）である。
【００２３】
いくつかの実施形態では、ヒドロフルオロカーボン化合物は、１，１，１，２−テトラフルオロエタン（Ｒ−１３４ａ）である。
【００２４】
いくつかの実施形態では、ヒドロフルオロカーボン化合物は、１，１−ジフルオロエタン（ＨＦＣ−１５２ａ）である。
【００２５】
いくつかの実施形態では、ヒドロフルオロカーボン化合物は、１，１，２，２−テトラフルオロエタン（ＨＦＣ−１３４）である。
【００２６】
いくつかの実施形態では、ヒドロフルオロカーボン化合物は、１，１，１，２，３，３，３−ヘプタフルオロプロパン（ＨＦＣ−２２７ｅａ）である。
【００２７】
いくつかの実施形態では、ヒドロフルオロカーボンは、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される２種以上のヒドロフルオロカーボンの混合物である。
【００２８】
いくつかの実施形態では、ヒドロフルオロカーボンは、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される２つ、３つ、４つ、又は５つのヒドロフルオロカーボンの混合物である。
【００２９】
いくつかの実施形態では、１種以上のヒドロフルオロオレフィンは、約４０未満、約３０未満、約２０未満、約１０未満、約５未満、約２．５未満、又は約１未満の地球温暖化係数を有する。
【００３０】
いくつかの実施形態では、１種以上のヒドロフルオロオレフィンの各々は、約１０未満の有効地球温暖化係数を有する。いくつかの実施形態では、１種以上のヒドロフルオロオレフィンの各々は、約２未満の有効地球温暖化係数を有する。いくつかの実施形態では、１種以上のヒドロフルオロオレフィンの各々は、約１未満の有効地球温暖化係数を有する。
【００３１】
いくつかの実施形態では、１種以上のヒドロフルオロオレフィンは、約１〜約５０、例えば、約１〜約４０、約１〜約３０、約１〜約２０、約１〜約１０、約１〜約５、約１〜約２．５、約２．５〜約４０、約２．５〜約３０、約２．５〜約２０、約２．５〜約１０、約２．５〜約５、約５〜約４０、約５〜約３０、約５〜約２０、約５〜約１０、約１０〜約４０、約１０〜約３０、約１０〜約２０、約２０〜約４０、約２０〜約３０、又は約３０〜約４０の有効地球温暖化係数を有する。
【００３２】
いくつかの実施形態では、１種以上のヒドロフルオロオレフィンは、約１〜約１０の地球温暖化係数を有する。
【００３３】
いくつかの実施形態では、１種以上のヒドロフルオロオレフィンは、約１〜約５の地球温暖化係数を有する。
【００３４】
いくつかの実施形態では、１種以上のヒドロフルオロオレフィンは、約０．１〜約１の地球温暖化係数を有する。
【００３５】
いくつかの実施形態では、１種以上の精製冷媒（ヒドロフルオロカーボン又はヒドロフルオロオレフィンのいずれか）化合物の各々は、５未満、例えば、４未満、３未満、２未満、１未満、又は０．１未満の有効地球温暖化係数を有する。
【００３６】
いくつかの実施形態では、１種以上の精製冷媒化合物の各々は、約０〜約５、例えば、約０〜約４、約０〜約３、約０〜約２、約０〜約１の有効地球温暖化係数を有する。
【００３７】
いくつかの実施形態では、１種以上の精製冷媒化合物の各々は、約０の有効地球温暖化係数を有する。
【００３８】
本明細書に記載のプロセスのいくつかの実施形態では、工程（ｂ）は、工程（ｃ）の混合の前に１回以上実行される。
【００３９】
いくつかの実施形態では、工程（ｂ）は、同じであっても異なっていてもよい、１回以上の精製技術を使用して、１回以上実行される。
【００４０】
いくつかの実施形態では、１種以上の精製ヒドロフルオロカーボン化合物は、工程（ｂ）を実行する前の１種以上のヒドロフルオロカーボンと比較して、約１〜約９９．９％、例えば、工程（ｂ）を実行する前の１種以上のヒドロフルオロカーボンと比較して、約１〜約９５％、約１〜約９０％、約１〜約７５％、約１〜約５０％、約１〜約２５％、約１〜約１０％、約１０〜約９５％、約１０〜約９０％、約１０〜約７５％、約１０〜約５０％、約１０〜約２５％、約２５〜約９５％、約２５〜約９０％、約２５〜約７５％、約２５〜約５０％、約５０〜約９５％、約５０〜約９０％、約５０〜約７５％、約７５〜約９５％、約７５〜約９０％改善された純度を示す。
【００４１】
例えば、１種以上の精製ヒドロフルオロカーボン化合物は、参照によりその開示全体が本明細書に組み込まれる、ＡＨＲＩ  Ｓｔａｎｄａｒｄ７００−２０１７Ｓｐｅｃｉｆｉｃａｔｉｏｎ  ｆｏｒ  Ｒｅｆｒｉｇｅｒａｎｔｓに記載の汚染物質の最大許容レベル以下の総量の不純物（すなわち、汚染物質）を含む。
【００４２】
例えば、１種以上の精製ヒドロフルオロカーボン化合物は、空気及び他の非凝縮物、水、揮発性不純物、微粒子／固形分、塩化物などのうちの１つ以上の最大許容レベル以下の総量の不純物（すなわち、汚染物質）を含む。非凝縮物には、酸素、窒素、二酸化炭素、ヘリウム、アルゴン、又はこれらの任意の組み合わせを挙げることができるが、これらに限定されない。
【００４３】
例えば、１種以上の精製ヒドロフルオロカーボン化合物は、本明細書に記載の表１〜８のいずれか１つ、及び参照によりその開示全体が本明細書に組み込まれる、ＡＨＲＩ  Ｓｔａｎｄａｒｄ７００−２０１７Ｓｐｅｃｉｆｉｃａｔｉｏｎ  ｆｏｒ  Ｒｅｆｒｉｇｅｒａｎｔｓに記載の汚染物質の最大許容レベル以下の総量の不純物（すなわち、汚染物質）を含む。
【００４４】
【表１】
2021529853.tif 000002
【００４５】
【表２】
2021529853.tif 000003
【００４６】
【表３】
2021529853.tif 000004
【００４７】
【表４】
2021529853.tif 000005
【００４８】
【表５】
2021529853.tif 000006
【００４９】
【表６】
2021529853.tif 000007
【００５０】
【表７】
2021529853.tif 000008
【００５１】
【表８】
2021529853.tif 000009
【００５２】
【表９】
2021529853.tif 000010
【００５３】
【表１０】
2021529853.tif 000011
【００５４】
【表１１】
2021529853.tif 000012
【００５５】
【表１２】
2021529853.tif 000013
いくつかの実施形態では、本明細書で提供されるプロセスは、
（ｄ）１種以上の冷蔵、空調、又はヒートポンプシステムから、１種以上のヒドロフルオロオレフィンを回収する工程を更に含む。
【００５６】
いくつかの実施形態では、工程（ｄ）は、工程（ｃ）のブレンドの前に実行される。
【００５７】
いくつかの実施形態では、本明細書で提供されるプロセスは、
（ｅ）１種以上のヒドロフルオロオレフィンを精製して、１種以上の精製ヒドロフルオロオレフィンを形成する工程を更に含む。
【００５８】
いくつかの実施形態では、工程（ｅ）は、工程（ｃ）のブレンドの前に実行される。
【００５９】
いくつかの実施形態では、本明細書で提供されるプロセスは、
（ｄ）１種以上の冷蔵、空調、又はヒートポンプシステムから、１種以上のヒドロフルオロオレフィンを回収する工程と、
（ｅ）１種以上のヒドロフルオロオレフィンを精製して、１種以上の精製ヒドロフルオロオレフィンを形成する工程と、を更に含む。
【００６０】
いくつかの実施形態では、工程（ｄ）及び（ｅ）は各々、工程（ｃ）のブレンドの前に実行される。
【００６１】
いくつかの実施形態では、１種以上の精製ヒドロフルオロオレフィン化合物は、工程（ｂ）を実行する前の１種以上のヒドロフルオロオレフィンと比較して、約１〜約９９．９％、例えば、工程（ｂ）を実行する前の１種以上のヒドロフルオロオレフィンと比較して、約１〜約９５％、約１〜約９０％、約１〜約７５％、約１〜約５０％、約１〜約２５％、約１〜約１０％、約１０〜約９５％、約１０〜約９０％、約１０〜約７５％、約１０〜約５０％、約１０〜約２５％、約２５〜約９５％、約２５〜約９０％、約２５〜約７５％、約２５〜約５０％、約５０〜約９５％、約５０〜約９０％、約５０〜約７５％、約７５〜約９５％、約７５〜約９０％改善された純度を示す。
【００６２】
例えば、１種以上の精製ヒドロフルオロオレフィン化合物は、参照によりその開示全体が本明細書に組み込まれる、ＡＨＲＩ  Ｓｔａｎｄａｒｄ７００−２０１７Ｓｐｅｃｉｆｉｃａｔｉｏｎ  ｆｏｒ  Ｒｅｆｒｉｇｅｒａｎｔｓに記載の汚染物質の最大許容レベル以下の総量の不純物（すなわち、汚染物質）を含む。
【００６３】
例えば、１種以上の精製ヒドロフルオロオレフィン化合物は、空気及び他の非凝縮物、水、揮発性不純物、微粒子／固形分、塩化物などのうちの１つ以上の最大許容レベル以下の総量の不純物（すなわち、汚染物質）を含む。
【００６４】
例えば、１種以上の精製ヒドロフルオロオレフィン化合物は、本明細書に記載の表１〜８のいずれか１つ、及び参照によりその開示全体が本明細書に組み込まれる、ＡＨＲＩ  Ｓｔａｎｄａｒｄ７００−２０１７Ｓｐｅｃｉｆｉｃａｔｉｏｎ  ｆｏｒ  Ｒｅｆｒｉｇｅｒａｎｔｓに記載の汚染物質の最大許容レベル以下の総量の不純物（すなわち、汚染物質）を含む。
【００６５】
１種以上のヒドロフルオロオレフィンは、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される。
【００６６】
いくつかの実施形態では、ヒドロフルオロカーボン化合物は、ジフルオロメタン（Ｒ−３２）である。
【００６７】
いくつかの実施形態では、ヒドロフルオロオレフィンは、２，３，３，３−テトラフルオロプロペン（ＨＦＯ−１２３４ｙｆ）である。
【００６８】
いくつかの実施形態では、ヒドロフルオロオレフィンは、（Ｚ）−１，１，１，４，４，４−ヘキサフルオロブタ−２−エン（ＨＦＯ−１３３６ｍｚｚ−（Ｚ））である。
【００６９】
いくつかの実施形態では、ヒドロフルオロオレフィンは、（Ｅ）−１，１，１，４，４，４−ヘキサフルオロブタ−２−エン（ＨＦＯ−１３３６ｍｚｚ−（Ｅ））である。
【００７０】
いくつかの実施形態では、ヒドロフルオロオレフィンは、（Ｅ）−１，３，３，３−テトラフルオロプロペン（ＨＦＯ−１２３４ｚｅ−（Ｅ））である。
【００７１】
いくつかの実施形態では、ヒドロフルオロオレフィンは、トリフルオロエチレン（ＨＦＯ−１１２３）である。
【００７２】
いくつかの実施形態では、ヒドロフルオロオレフィンは、（Ｅ）−１，２，３，３，３−ペンタフルオロプロペン（ＨＦＯ−１２２５ｙｅ−（Ｅ））である。
【００７３】
いくつかの実施形態では、ヒドロフルオロオレフィンは、３，３，３−トリフルオロプロペン（ＨＦＯ−１２４３ｚｆ）である。
【００７４】
いくつかの実施形態では、ヒドロフルオロオレフィンは、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）から選択される任意の２種以上のヒドロフルオロオレフィンの混合物である。
【００７５】
いくつかの実施形態では、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）から選択される任意の２、３、４、又は５つのヒドロフルオロオレフィンの混合物である。
【００７６】
いくつかの実施形態では、ヒドロフルオロカーボンは、ジフルオロメタン（Ｒ−３２）とペンタフルオロエタン（Ｒ−１２５）との混合物である。
【００７７】
いくつかの実施形態では、ヒドロフルオロカーボンは、ジフルオロメタン（Ｒ−３２）と、ペンタフルオロエタン（Ｒ−１２５）と、１，１，１，２−テトラフルオロエタン（Ｒ−１３４ａと）の混合物である。
【００７８】
いくつかの実施形態では、本明細書に記載のプロセスに従って調製された冷媒ブレンドは、
約２１〜約２２重量パーセントの精製ジフルオロメタン（Ｒ−３２）、及び
約７８〜約７９重量パーセントの２，３，３，３−テトラフルオロプロペン（ＨＦＯ−１２３４ｙｆ）を含む。
【００７９】
いくつかの実施形態では、本明細書に記載のプロセスに従って調製された冷媒ブレンドは、
約２１〜約２２重量パーセントの精製ジフルオロメタン（Ｒ−３２）、及び
約７８〜約７９重量パーセントの２，３，３，３−テトラフルオロプロペン（ＨＦＯ−１２３４ｙｆ）から本質的になる。
【００８０】
いくつかの実施形態では、本明細書に記載のプロセスに従って調製された冷媒ブレンドは、
約２１〜約２２重量パーセントの精製ジフルオロメタン（Ｒ−３２）、及び
約７８〜約７９重量パーセントの２，３，３，３−テトラフルオロプロペン（ＨＦＯ−１２３４ｙｆ）からなる。
【００８１】
いくつかの実施形態では、本明細書に記載のプロセスに従って調製された冷媒ブレンドは、
約６８〜約６９重量パーセントの精製ジフルオロメタン（Ｒ−３２）と、
約３０〜約３１重量パーセントの２，３，３，３−テトラフルオロプロペン（ＨＦＯ−１２３４ｙｆ）と、を含む。
【００８２】
いくつかの実施形態では、本明細書に記載のプロセスに従って調製された冷媒ブレンドは、
約６８〜約６９重量パーセントの精製ジフルオロメタン（Ｒ−３２）と、
約３０〜約３１重量パーセントの２，３，３，３−テトラフルオロプロペン（ＨＦＯ−１２３４ｙｆ）と、から本質的になる。
【００８３】
いくつかの実施形態では、本明細書に記載のプロセスに従って調製された冷媒ブレンドは、
約６８〜約６９重量パーセントの精製ジフルオロメタン（Ｒ−３２）と、
約３０〜約３１重量パーセントの２，３，３，３−テトラフルオロプロペン（ＨＦＯ−１２３４ｙｆ）と、からなる。
【００８４】
いくつかの実施形態では、本明細書に記載のプロセスに従って調製された冷媒ブレンドは、
約３４〜約３６重量パーセントの精製ジフルオロメタン（Ｒ−３２）と、
約６４〜約６６重量パーセントの２，３，３，３−テトラフルオロプロペン（ＨＦＯ−１２３４ｙｆ）と、を含む。
【００８５】
いくつかの実施形態では、本明細書に記載のプロセスに従って調製された冷媒ブレンドは、
約３４〜約３６重量パーセントの精製ジフルオロメタン（Ｒ−３２）と、
約６４〜約６６重量パーセントの２，３，３，３−テトラフルオロプロペン（ＨＦＯ−１２３４ｙｆ）と、から本質的になる。
【００８６】
いくつかの実施形態では、本明細書に記載のプロセスに従って調製された冷媒ブレンドは、
約３４〜約３６重量パーセントの精製ジフルオロメタン（Ｒ−３２）と、
約６４〜約６６重量パーセントの２，３，３，３−テトラフルオロプロペン（ＨＦＯ−１２３４ｙｆ）と、からなる。
【００８７】
いくつかの実施形態では、本明細書に記載のプロセスに従って調製された冷媒ブレンドは、
約６６〜約６８重量パーセントの精製ジフルオロメタン（Ｒ−３２）と、
約６〜約８重量パーセントの精製ペンタフルオロエタン（Ｒ−１２５）と、
約２５〜約２７重量パーセントの２，３，３，３−テトラフルオロプロペン（ＨＦＯ−１２３４ｙｆ）と、を含む。
【００８８】
いくつかの実施形態では、本明細書に記載のプロセスに従って調製された冷媒ブレンドは、
約６６〜約６８重量パーセントの精製ジフルオロメタン（Ｒ−３２）と、
約６〜約８重量パーセントの精製ペンタフルオロエタン（Ｒ−１２５）と、
約２５〜約２７重量パーセントの２，３，３，３−テトラフルオロプロペン（ＨＦＯ−１２３４ｙｆ）と、から本質的になる。
【００８９】
いくつかの実施形態では、本明細書に記載のプロセスに従って調製された冷媒ブレンドは、
約６６〜約６８重量パーセントの精製ジフルオロメタン（Ｒ−３２）と、
約６〜約８重量パーセントの精製ペンタフルオロエタン（Ｒ−１２５）と、
約２５〜約２７重量パーセントの２，３，３，３−テトラフルオロプロペン（ＨＦＯ−１２３４ｙｆ）と、からなる。
【００９０】
いくつかの実施形態では、本明細書に記載のプロセスに従って調製された冷媒ブレンドは、
約２４〜約２５重量パーセントの精製ジフルオロメタン（Ｒ−３２）と、
約２４〜約２５重量パーセントの精製ペンタフルオロエタン（Ｒ−１２５）と、
約２５〜約２６重量パーセントの精製１，１，１，２−テトラフルオロエタン（Ｒ−１３４ａ）と、
約２５〜約２６重量パーセントの２，３，３，３−テトラフルオロプロペン（ＨＦＯ−１２３４ｙｆ）と、を含む。
【００９１】
いくつかの実施形態では、本明細書に記載のプロセスに従って調製された冷媒ブレンドは、
約２４〜約２５重量パーセントの精製ジフルオロメタン（Ｒ−３２）と、
約２４〜約２５重量パーセントの精製ペンタフルオロエタン（Ｒ−１２５）と、
約２５〜約２６重量パーセントの精製１，１，１，２−テトラフルオロエタン（Ｒ−１３４ａ）と、
約２５〜約２６重量パーセントの２，３，３，３−テトラフルオロプロペン（ＨＦＯ−１２３４ｙｆ）と、から本質的になる。
【００９２】
いくつかの実施形態では、本明細書に記載のプロセスに従って調製された冷媒ブレンドは、
約２４〜約２５重量パーセントの精製ジフルオロメタン（Ｒ−３２）と、
約２４〜約２５重量パーセントの精製ペンタフルオロエタン（Ｒ−１２５）と、
約２５〜約２６重量パーセントの精製１，１，１，２−テトラフルオロエタン（Ｒ−１３４ａ）と、
約２５〜約２６重量パーセントの２，３，３，３−テトラフルオロプロペン（ＨＦＯ−１２３４ｙｆ）と、からなる。
【００９３】
いくつかの実施形態では、本明細書に記載のプロセスに従って調製された冷媒ブレンドは、
約４３〜約４５重量パーセントの精製１，１，１，２−テトラフルオロエタン（Ｒ−１３４ａ）と、
約５５〜約５７重量パーセントの２，３，３，３−テトラフルオロプロペン（ＨＦＯ−１２３４ｙｆ）と、を含む。
【００９４】
いくつかの実施形態では、本明細書に記載のプロセスに従って調製された冷媒ブレンドは、
約４３〜約４５重量パーセントの精製１，１，１，２−テトラフルオロエタン（Ｒ−１３４ａ）と、
約５５〜約５７重量パーセントの２，３，３，３−テトラフルオロプロペン（ＨＦＯ−１２３４ｙｆ）と、から本質的になる。
【００９５】
いくつかの実施形態では、本明細書に記載のプロセスに従って調製された冷媒ブレンドは、
約４３〜約４５重量パーセントの精製１，１，１，２−テトラフルオロエタン（Ｒ−１３４ａ）と、
約５５〜約５７重量パーセントの２，３，３，３−テトラフルオロプロペン（ＨＦＯ−１２３４ｙｆ）と、からなる。
【００９６】
本明細書に記載のプロセスのいくつかの実施形態では、工程（ｂ）の精製は、１種以上のヒドロフルオロカーボン化合物から固形不純物を除去することを含む。
【００９７】
いくつかの実施形態では、固形不純物は、濾過から独立して選択される１種以上の精製技術によって除去される。濾過の種類又は方法としては、圧力、真空、膜遠心、重力、深層フィルタ、粒状床、炭素、繊維、又は金属を使用するカートリッジフィルタ、及びプレコート濾過を挙げることができる。濾過は、金属微粒子及び不溶性ポリマー、プラスチック、並びにエラストマーなどの固形粒子の除去に特に有用である。
【００９８】
いくつかの実施形態では、工程（ｂ）の精製は、１種以上のヒドロフルオロカーボン化合物から、液体不純物、気体不純物、又はこれらの組み合わせを除去することを含む。
【００９９】
いくつかの実施形態では、液体不純物、気体不純物、又はこれらの組み合わせは、蒸留、デカンテーション、分子篩との接触、及び蒸気空間パージ（vapor space purging）から独立して選択される１種以上の精製技術によって除去される。分子篩は、空気除去のための水除去及び蒸気空間パージ（vapor space purging）に特に有用である。蒸留及びデカンテーションは、有機、オリゴマー、及び可溶性ポリマー不純物の除去に有効である。
【０１００】
いくつかの実施形態では、工程（ｅ）の精製は、１種以上のヒドロフルオロオレフィンから固形不純物を除去することを含む。
【０１０１】
いくつかの実施形態では、固形不純物は、圧力濾過、真空濾過、膜遠心濾過、重力濾過、深層フィルタ濾過、粒状床濾過、炭素、繊維、又は金属濾過を使用するカートリッジ濾過、及びプレコート濾過から独立して選択される１種以上の精製技術によって除去される。
【０１０２】
いくつかの実施形態では、工程（ｅ）の精製は、１種以上のヒドロフルオロオレフィンから、液体不純物、気体不純物、又はこれらの組み合わせを除去することを含む。
【０１０３】
いくつかの実施形態では、液体不純物、気体不純物、又はこれらの組み合わせは、蒸留、分子篩との接触、及び蒸気空間パージ（vapor space purging）から独立して選択される１種以上の精製技術によって除去される。
【０１０４】
いくつかの実施形態では、本出願は、冷媒ブレンドの地球温暖化係数を低下させるプロセスであって、
（ａ）１種以上の冷蔵、空調、又はヒートポンプシステムから回収された１種以上のヒドロフルオロカーボンを選択する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約５０未満の地球温暖化係数を有する１種以上のヒドロフルオロオレフィンとブレンドして、精製冷媒ブレンドを形成する工程と、を含み、
精製冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、低下した地球温暖化係数を有し、
１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）から選択される、プロセスを更に提供する。
【０１０５】
いくつかの実施形態では、冷媒ブレンドは、１種以上のヒドロフルオロオレフィン、並びに工程（ｂ）〜（ｃ）に従って回収及び精製されていない１種以上のヒドロフルオロカーボン化合物を含む冷媒ブレンドのＧＷＰと比較して、約５％以下、例えば、約１０％以下、約２０％以下、約３０％以下、約４０％以下、約５０％以下、約６０％以下、約７０％以下、約８０％以下、約９０％以下、又は約９９％以下である有効地球温暖化係数を有する。
【０１０６】
いくつかの実施形態では、精製冷媒ブレンドは、１種以上のヒドロフルオロオレフィン、並びに工程（ｂ）〜（ｃ）に従って回収及び精製されていない１種以上のヒドロフルオロカーボン化合物を含む冷媒ブレンドのＧＷＰと比較して、約５％以下である有効地球温暖化係数を有する。
【０１０７】
いくつかの実施形態では、冷媒ブレンドは、１種以上のヒドロフルオロオレフィン、並びに工程（ｂ）〜（ｃ）に従って回収及び精製されていない１種以上のヒドロフルオロカーボン化合物を含む冷媒ブレンドに対するＧＷＰと比較して、約１％以下である有地球温暖化係数を有する。
【０１０８】
いくつかの実施形態では、冷媒ブレンドは、１種以上のヒドロフルオロオレフィン、並びに工程（ｂ）〜（ｃ）に従って回収及び精製されていない１種以上のヒドロフルオロカーボン化合物を含む冷媒ブレンドのＧＷＰの約５％〜約９９％、例えば、約５％〜約９０％、約５％〜約８０％、約５％〜約７０％、約５％〜約６０％、約５％〜約５０％、約５％〜約４０％、約５％〜約３０％、約５％〜約２０％、又は約５％〜約１０％である有効地球温暖化係数を有する。
【０１０９】
使用方法
本明細書に記載のプロセスに従って調製される組成物は、熱源からヒートシンクに熱を運ぶために使用される作動流体として作用することができる。そのような伝熱組成物は、流体が相転移するサイクル、すなわち、流体が液体から気体に変化し、再び液体に戻る、又はその逆に変化するサイクルにおける冷媒としても有用であり得る。例示的な伝熱システムとしては、空調機（例えば、自動車用空調機）、冷凍庫、冷蔵庫、ヒートポンプ、冷却機（例えば、冷水機、満液式蒸発器冷却機、直接膨張冷却機、遠心冷却機）、ウォークインクーラ、高温ヒートポンプ、移動式冷蔵庫、移動式空調ユニット、浸漬冷却システム、データセンター冷却システム、及びこれらの組み合わせが挙げられるが、これらに限定されない。
【０１１０】
機械的な蒸気−圧縮冷蔵、空調、及びヒートポンプシステムは、蒸発器、圧縮機、凝縮器、及び膨張機器を含む。冷蔵サイクルは、１つの工程において冷却効果を生み出し、かつ、異なる工程において加熱効果を生み出す、多重の工程において冷媒を再使用する。サイクルは、以下のように記述することができる：液体冷媒が、膨張機器を通って蒸発器に入り、液体冷媒が、低温で、環境から熱を奪うことによって蒸発器内で沸騰して、気体を形成し、冷却を生み出す。多くの場合、空気又は伝熱流体は、蒸発器の上を、又は周囲を流れ、蒸発器内の冷媒の蒸発によって生じる冷却効果を、冷却される物体まで伝達する。低圧の気体は、圧縮機へ入り、そこで気体は圧縮され、その圧力及び温度が上昇する。次いで、高圧の（圧縮された）気体状の冷媒は、凝縮器へ入り、そこで冷媒は凝縮され、その熱を環境へ放出する。冷媒は膨張機器に戻り、それを通じて液体は凝縮機におけるより高圧レベルから蒸発機における低圧レベルに膨張し、このようにして、サイクルを繰り返す。
【０１１１】
冷却される又は加熱される物体は、冷却又は加熱を提供することが望ましい任意の空間、場所、物又は物体として定義され得る。例としては、アパート建物、総合大学の寮、一軒家、若しくは他の付属の家屋若しくは単身者世帯住宅、病院、オフィスビル、スーパーマーケット、単科大学若しくは総合大学の教室若しくは管理棟、及び自動車又はトラックのパッセンジャー・コンパートメントなどの、部屋、アパート、又は建物などの、空調、冷却、又は加熱を必要とする（開放された若しくは閉鎖された）空間などが挙げられる。更に、冷却される物体としては、とりわけ、コンピュータ設備、中央処理ユニット（ｃｐｕ）、データセンター、サーババンク、及びパーソナルコンピュータなどの電子機器を挙げることができる。
【０１１２】
「付近」とは、蒸発器を介して移動される空気が、冷却される物体内又は周囲を移動するように、冷媒組成物を含有するシステムの蒸発器が、冷却される物体内又は物体に近接してのいずれかに位置されていることを意味する。加熱を生み出すプロセスでは、「付近」とは、蒸発器を介して移動される空気が、加熱される物体内又は周囲を移動するように、冷媒組成物を含有するシステムの凝縮器が、加熱される物体内又は物体に近接してのいずれかに位置されていることを意味する。いくつかの実施形態では、伝熱のために、「付近」とは、例えば、冷却される物体が、伝熱組成物に直接浸漬されるか、又は伝熱組成物を含有する管が、内部でその内若しくは周囲を流れ、例えば、電子設備から出ることを意味し得る。
【０１１３】
本明細書で提供される組成物が有用であり得る冷蔵システムの例としては、商業用、工業用、又は住宅用冷蔵庫及び冷凍庫、製氷機、内蔵型クーラ及び冷凍庫、満液式蒸発器冷却機、直接膨張冷却機、スクリュー冷却機、スクロール冷却機、遠心冷却機、ウォークイン及びリーチイン冷却機及び冷凍庫、並びに組み合わせシステムを含む設備である。いくつかの実施形態では、本明細書で提供される組成物は、スーパーマーケットの冷蔵システムにおいて使用され得る。更に、固定型用途は、１つの位置において、冷却を生み出す一次冷媒を使用し、この冷却を二次伝熱流体を介して遠隔地に移動させる、二次ループシステムを利用し得る。
【０１１４】
いくつかの実施形態では、本明細書で提供される組成物は、冷蔵、空調、又はヒートポンプシステム又は装置を含む移動式伝熱システムにおいて有用である。いくつかの実施形態では、本明細書で提供される組成物は、冷蔵、空調、又はヒートポンプシステム又は装置を含む固定式伝熱システムにおいて有用である。
【０１１５】
本明細書で使用するとき、移動式冷蔵庫、空調、又はヒートポンプシステムは、道路、鉄道、海上、又は航空の輸送ユニットに組み込まれる、任意の冷蔵、空調、又はヒートポンプ装置を指す。移動式空調又はヒートポンプシステムは、自動車、トラック、列車、又は他の輸送システムに使用され得る。特に、移動式ヒートポンプは、熱を生み出すための燃焼エンジンを含まないハイブリッド又は電気自動車に有用であり得る。移動式冷蔵庫は、トラック、飛行機、又は列車の輸送用冷蔵庫を含み得る。更に、「複合一貫輸送」システムとして知られている、任意の移動式キャリアに依存しないシステムに冷蔵を提供することを意図する装置は、本発明に含まれる。そのような複合一貫輸送システムとしては、「コンテナ」（例えば、海上／陸上複合輸送）、並びに「スワップボディ」（例えば、道路及び鉄道複合輸送）が挙げられる。
【０１１６】
本明細書で使用するとき、固定式空調又はヒートポンプシステムは、動作中に適所に固定されるシステムである。固定式空調又はヒートポンプシステムは、いずれかの様々な建物に関連付けられ得るか、又は取り付けられ得る。これらの固定式の用途としては、冷却機、住宅用及び高温ヒートポンプを含むヒートポンプ、住宅用、商業用、又は工業用空調システムを含み、かつダクトの有無に関わらず、屋上システムなどの建物に接続される窓付のパッケージ型端末及びそれらの外部を含むがこれらに限定されない、固定式空調及びヒートポンプであり得る。
【０１１７】
固定式伝熱は、浸漬冷却システム、浸水冷却システム、相転移冷却システム、データセンター冷却システム、又は単純に液体冷却システムなどの電子機器を冷却するためのシステムを指し得る。
【０１１８】
いくつかの実施形態では、本発明の化合物又は組成物を伝熱流体として使用するための方法が提供される。本方法は、当該組成物を熱源からヒートシンクに輸送する工程を含む。
【０１１９】
いくつかの実施形態では、冷却を生み出すための方法であって、冷却される物体の近傍で本明細書に開示する組成物のいずれかを蒸発させる工程と、その後、当該組成物を凝縮させる工程と、を含む、方法が提供される。
【０１２０】
いくつかの実施形態では、加熱を生み出すための方法であって、加熱される物体の近傍で本明細書に開示する組成物のいずれかを凝縮させる工程と、その後、当該組成物を蒸発させる工程と、を含む、方法が提供される。
【０１２１】
いくつかの実施形態では、本明細書で提供される組成物は、伝熱用途において有用であり、作動流体は、伝熱成分である。好ましくは、伝熱成分として使用するための組成物は、−６０℃〜３００℃の沸点範囲を有する。
【０１２２】
いくつかの実施形態では、本明細書で提供される組成物は、冷蔵又は空調において使用するためのものである。好ましくは、冷媒又は空調成分として使用するための組成物は、−８０℃〜３５℃の沸点範囲を有する。いくつかの冷却機用途では、沸点範囲は、好ましくは０℃〜３５℃である。
【０１２３】
本明細書に開示する化合物又は組成物は、とりわけ、Ｒ−１２３（又はＨＦＣ−１２３、２，２−ジクロロ−１，１，１−トリフルオロエタン）、Ｒ−１１（又はＣＦＣ−１１、トリクロロフルオロメタン）、Ｒ−１２（又はＣＦＣ−１２、ジクロロジフルオロメタン）、ＨＦＣ−１３４ａ（１，１，１，２−テトラトリフルオロエタン）、ＨＦＣ−３２（ジフルオロメタン）、Ｒ−２２（クロロジフルオロメタン）、Ｒ−２４５ｆａ（又はＨＦＣ−２４５ｆａ、１，１，１，３，３−ペンタフルオロプロパン）、Ｒ−１１４（又はＣＦＣ−１１４、１，２−ジクロロ−１，１，２，２−テトラフルオロエタン）、Ｒ−２３６ｆａ（又はＨＦＣ−２３６ｆａ、１，１，１，３，３，３−ヘキサフルオロプロパン）、Ｒ−２３６ｅａ（又はＨＦＣ−２３６ｅａ、１，１，１，２，３，３−ヘキサフルオロプロパン）、Ｒ−１２４（又はＨＣＦＣ−１２４、２−クロロ−１，１，１，２−テトラフルオロエタン）を含むがこれらに限定されない、現在使用されている（例えば、「現用」）冷媒の代替物として有用であり得る。
【０１２４】
本明細書で使用するとき、「現用冷媒」という用語は、伝熱システムがそれに対して動作するように設計された冷媒、又は伝熱システム内に存在する冷媒を意味するものとして理解される。
【０１２５】
多くの場合、異なる冷媒用に、例えば、システム変更が最小から全くない状態で設計された最初の冷却設備において使用することができる場合には、代替冷媒は、最も有用である。多くの用途では、開示の組成物のいくつかの実施形態は、冷媒として有用であり、代替品が求められる冷媒として、少なくとも同等の冷却性能（冷却能力を意味する）を提供する。
【０１２６】
冷蔵能力（冷却能力と呼ばれることもある）は、循環する冷媒又は作動流体の単位質量当たりの、蒸発器中の冷媒又は作動流体のエンタルピーの変化を定義する用語である。体積冷却能力は、蒸発器を出る冷媒蒸気の単位体積当たりの、冷媒又は作動流体によって除去された熱の量を指す。冷蔵能力は、冷媒、作動流体、又は伝熱組成物の冷却を生み出す能力の尺度である。したがって、作動流体の体積冷却能力が高いほど、所定の圧縮機で達成可能な最大体積流量を伴う蒸発器で生み出すことができる冷却率が大きくなる。冷却率は、蒸発器内の冷媒によって除去される単位時間当たりの熱量を指す。
【０１２７】
同様に、体積加熱能力は、圧縮機に入る冷媒又は作動流体蒸気の単位体積当たりの、凝縮器中の冷媒又は作動流体によって供給される熱の量を定義する用語である。冷媒又は作動流体の体積加熱能力が高いほど、所定の圧縮機で達成可能な最大体積流量を伴う凝縮器で生み出される加熱率が大きくなる。
【０１２８】
いくつかの実施形態では、本出願は、空のシステムに本明細書に開示する組成物を充填することによって、又は当該現用冷媒を本明細書に開示する組成物で実質的に置換することによって、現用冷媒を用いて動作するように設計された伝熱システムを動作させる方法又は熱を伝達するための方法を提供する。
【０１２９】
本明細書で使用するとき、「実質的に置換する」という用語は、現用冷媒をシステムから排出させるか、又は現用冷媒をシステムから圧送した後、システムに本明細書に開示する組成物を充填することを意味するものとして理解される。システムは、充填する前に１回以上の量の置換冷媒でフラッシングすることができる。いくつかの実施形態では、システムが本明細書で提供される組成物で充填された後にも幾分の少量の現用冷媒がシステム内に存在してもよいものとして理解される。
【０１３０】
別の実施形態では、現用冷媒及び潤滑剤を含有する伝熱システムを再充填するための方法であって、潤滑剤の相当部分を当該システム内に保持しながら現用冷媒を伝熱システムから実質的に除去する工程と、本明細書で提供される組成物のうちの１つを伝熱システムに導入する工程と、を含む、方法が提供される。特定の実施形態では、システム内の潤滑剤は、部分的に置換される。
【０１３１】
本明細書で使用するとき、「潤滑剤」という用語は、部品の焼付き防止を補助するために圧縮機に潤滑を提供する、組成物又は圧縮機に添加される（かつ任意の伝熱システム内で使用中の任意の伝熱組成物と接触する）任意の材料を指す。
【０１３２】
いくつかの実施形態では、本明細書で提供される組成物は、冷却機内の冷媒の補充に使用され得る。例えば、Ｒ−４４９Ａを使用する冷却機の性能が、冷媒の漏出により低下した場合、本来の仕様に性能を戻すために、本明細書に開示する組成物を冷却機に添加することができる。
【０１３３】
いくつかの実施形態では、本開示の組成物のいずれかを含有する熱交換システムであって、空調機、冷凍庫、冷蔵庫、ヒートポンプ、冷水機、満液式蒸発器冷却機、直接膨張冷却機、スクリュー冷却機、スクロール冷却機、遠心冷却機、ウォークインクーラ、ヒートポンプ、移動式冷蔵庫、移動式空調ユニット、及びこれらの組み合わせを有するシステムからなる群から選択される、システムが提供される。更に、本明細書で提供される組成物は、これらの組成物が一次冷媒として機能することで二次伝熱流体の冷却を提供し、この二次伝熱流体が遠隔地を冷却する二次ループシステムにおいて有用であり得る。
【０１３４】
本明細書で提供される組成物は、本明細書に記載の熱交換器においていくらかの温度勾配を有し得る。これにより、向流モード又は向流傾向を有する横流モードで熱交換器が動作している場合、システムは、より効率的に動作し得る。向流傾向とは、熱交換器が向流モードに可能な限り近づくほど、伝熱がより効率的であることを意味する。したがって、空調熱交換器、特に蒸発器は、向流特質のいくつかの態様を提供するように設計される。
【０１３５】
したがって、空調又はヒートポンプシステムであって、向流モード又は向流傾向を有する横流モードで動作する、１種以上の熱交換器（例えば、蒸発器、凝縮器、又は両方）を含む、システムが本明細書で提供される。
【０１３６】
いくつかの実施形態では、冷蔵システムであって、向流モード又は向流傾向を有する横流モードで動作する、１種以上の熱交換器（例えば、蒸発器、凝縮器、又は両方）を含む、システムが本明細書で提供される。
【０１３７】
いくつかの実施形態では、冷蔵、空調、又はヒートポンプシステムは、固定式冷蔵、空調、又はヒートポンプシステムである。いくつかの実施形態では、冷蔵、空調、又はヒートポンプシステムは、移動式冷蔵、空調、又はヒートポンプシステムである。
【０１３８】
更に、いくつかの実施形態では、本明細書に開示する組成物は、水、食塩水溶液（例えば、塩化カルシウム）、グリコール、二酸化炭素、又はフッ素化炭化水素流体（例えば、ＨＦＣ、ＨＣＦＣ、ＨＦＯ、ＨＣＦＯ、ＣＦＯ、若しくはＰＦＣ）を含み得る二次伝熱流体の使用によって、遠隔地に冷却を提供する二次ループシステムにおいて一次冷媒として機能し得る。この場合、二次伝熱流体は、蒸発器に隣接しており、冷却される第２の遠隔物体に移動させる前に冷却されることから、冷却される物体である。いくつかの実施形態では、本明細書に開示する組成物は、二次伝熱流体として機能し、したがって遠隔地に冷却（又は加熱）を伝達又は提供することができる。
【０１３９】
いくつかの実施形態では、本明細書で提供される組成物は、潤滑剤、染料（例えば、紫外線染料）、可溶化剤、相溶化剤、安定剤、トレーサ、パーフルオロポリエーテル、摩耗防止剤、極圧添加剤、腐食及び酸化防止剤、金属表面エネルギー還元剤（metal surface energy reducer）、金属表面不活性化剤、フリーラジカル捕捉剤、泡制御剤、粘度指数改善剤、流動点降下剤、洗剤、粘度調節剤、及びこれらの混合物からなる群から選択される１種以上の非冷媒成分（本明細書では添加剤とも呼ばれる）を含む。実際には、これら任意の非冷媒成分の多くは、これらの部類のうちの１つ以上に合致し、それ自体が１つ以上の性能特性を達成するのに役立つ品質を有し得る。
【０１４０】
いくつかの実施形態では、１種以上の非冷媒成分は、組成物全体に対して少ない量で存在する。いくつかの実施形態では、開示の組成物における添加剤（類）の濃度の量は、全組成物の、約０．１重量パーセント未満〜約５重量パーセントと同程度までである。本発明のいくつかの実施形態においては、添加剤は、開示の組成物において、全組成物の、約０．１重量パーセント〜約５重量パーセントの量で、又は約０．１重量パーセント〜約３．５重量パーセントの量で存在する。開示の組成物として選択される添加剤成分（類）は、実用性及び／又は個々の設備構成要素、若しくはシステムの要件に基づいて選択される。
【０１４１】
いくつかの実施形態では、潤滑剤は、鉱油、アルキルベンゼン、ポリオールエステル、ポリアルキレングリコール、ポリビニルエーテル、ポリカーボネート、パーフルオロポリエーテル、シリコーン、ケイ酸エステル、リン酸エステル、パラフィン、ナフテン、ポリアルファ−オレフィン、及びこれらの組み合わせからなる群から選択される。
【０１４２】
本明細書に開示する潤滑剤は、市販の潤滑剤であってよい。例えば、潤滑剤は、ＢＶＭ１００ＮとしてＢＶＡ  Ｏｉｌより販売されているパラフィン鉱油、商標名Ｓｕｎｉｓｏ（登録商標）１ＧＳ、Ｓｕｎｉｓｏ（登録商標）３ＧＳ及びＳｕｎｉｓｏ（登録商標）５ＧＳでＣｒｏｍｐｔｏｎ  Ｃｏ．より販売されているナフテン系鉱油、商標名Ｓｏｎｔｅｘ（登録商標）３７２ＬＴでＰｅｎｎｚｏｉｌより販売されているナフテン系鉱油、商標名Ｃａｌｕｍｅｔ（登録商標）ＲＯ−３０でＣａｌｕｍｅｔ  Ｌｕｂｒｉｃａｎｔｓより販売されているナフテン系鉱油、商標名Ｚｅｒｏｌ（登録商標）７５、Ｚｅｒｏｌ（登録商標）１５０及びＺｅｒｏｌ（登録商標）５００でＳｈｒｉｅｖｅ  Ｃｈｅｍｉｃａｌｓより販売されている直鎖アルキルベンゼン、ＨＡＢ２２としてＮｉｐｐｏｎ  Ｏｉｌより販売されている分枝鎖アルキルベンゼン、商標名Ｃａｓｔｒｏｌ（登録商標）１００でＣａｓｔｒｏｌ，Ｕｎｉｔｅｄ  Ｋｉｎｇｄｏｍより販売されているポリオールエステル（ＰＯＥ）、Ｄｏｗ（Ｄｏｗ  Ｃｈｅｍｉｃａｌ，Ｍｉｄｌａｎｄ，Ｍｉｃｈｉｇａｎ）のＲＬ−４８８Ａなどのポリアルキレングリコール（ＰＡＧ）、並びにこれらの混合物であってもよい。
【０１４３】
本明細書に開示する組成物の上記重量比にも関わらず、いくつかの伝熱システムでは、本組成物が使用されている間、そのような伝熱システムの１種以上の設備構成要素から追加の潤滑剤が得られる可能性があることが理解されている。例えば、いくつかの冷蔵、空調、及びヒートポンプシステムでは、圧縮機及び／又は圧縮機潤滑剤サンプ内に潤滑剤を充填してよい。このような潤滑剤は、任意の潤滑添加剤に加えて、このようなシステムの冷媒中に存在する。使用中、圧縮機内にあるとき、冷媒組成物は、ある量の設備潤滑剤を捕捉して、冷媒−潤滑剤組成物を出発比率から変更してもよい。
【０１４４】
本発明の組成物と共に使用される非冷媒成分は、少なくとも１種の染料を含んでいてよい。いくつかの実施形態では、染料は、少なくとも１種の紫外線（ＵＶ）染料を含む。本明細書で使用するとき、「紫外線」染料は、電磁スペクトルの紫外線又は「近」紫外線領域内の光を吸収する紫外線蛍光性組成物又はリン光性組成物として定義される。約１０ナノメートル〜約７７５ナノメートルの範囲内の波長を有する、少なくともいくらかの放射線を放出する紫外線照射下において、紫外線蛍光性染料によって生み出された蛍光が検出され得る。
【０１４５】
紫外線染料は、装置（例えば、冷蔵ユニット、空調機、又はヒートポンプ）中での漏出点又は漏出点の近傍で染料の蛍光を観察することができることから、組成物の漏出を検出するにあたって有用な成分である。紫外線放出（例えば、染料からの蛍光）は、紫外線光下で観察することができる。したがって、こうした紫外線染料を含有する組成物が装置中の所与の点から漏出した場合、蛍光は、漏出点又は漏出点の近傍で検出され得る。
【０１４６】
いくつかの実施形態では、紫外線染料は、蛍光染料であってもよい。いくつかの実施形態では、蛍光染料は、ナフタルイミド、ペリレン、クマリン、アントラセン、フェナントラセン、キサンテン、チオキサンテン、ナフトキサンテン、フルオレセイン、及びこれらの任意の混合物からなる群から選択される。
【０１４７】
いくつかの実施形態では、本発明の組成物は、少なくとも１種の可溶化剤を含む。いくつかの実施形態では、可溶化剤は、開示の組成物中の１種以上の染料の溶解度を改善するように選択される。いくつかの実施形態では、組成物中の染料の可溶化剤に対する重量比は、約９９：１〜約１：１の範囲である。例示的な可溶化剤としては、炭化水素、炭化水素エーテル、ポリオキシアルキレングリコールエーテル（例えば、ジプロピレングリコールジメチルエーテル）、アミド、ニトリル、ケトン、クロロカーボン（例えば、塩化メチレン、トリクロロエチレン、クロロホルム、又はこれらの混合物）、エステル、ラクトン、芳香族エーテル、フルオロエーテル、１，１，１−トリフルオロアルカン、及びこれらの任意の混合物からなる群から選択される少なくとも１種の化合物が挙げられるが、これらに限定されない。
【０１４８】
いくつかの実施形態では、非冷媒成分は、少なくとも１種の相溶化剤を含む。本明細書で使用するとき、「相溶化剤」という用語は、伝熱システム潤滑剤中の、開示の組成物のヒドロフルオロカーボンの溶解度を改善する化合物を指す。いくつかの実施形態では、相溶化剤により圧縮機への油戻しが改善される。いくつかの実施形態では、組成物をシステム潤滑剤と共に使用して、油リッチ相の粘度を低下させる。
【０１４９】
いくつかの実施形態では、非冷媒成分は、１種以上の潤滑剤と開示の組成物との相溶性を改善するために少なくとも１種の相溶化剤を含む。いくつかの実施形態では、相溶化剤は、炭化水素、炭化水素エーテル、ポリオキシアルキレングリコールエーテル（例えば、ジプロピレングリコールジメチルエーテル）、アミド、ニトリル、ケトン、クロロカーボン（例えば、塩化メチレン、トリクロロエチレン、クロロホルム、又はこれらの混合物）、エステル、ラクトン、芳香族エーテル、フルオロエーテル、１，１，１−トリフルオロアルカン、及びこれらの任意の混合物からなる群から選択される。
【０１５０】
いくつかの実施形態では、可溶化剤及び／又は相溶化剤は、炭化水素エーテルからなる群から選択される。いくつかの実施形態では、炭化水素エーテルは、ジメチルエーテル（ＤＭＥ）などの、炭素、水素、及び酸素のみを含有するエーテルからなる。
【０１５１】
いくつかの実施形態では、相溶化剤は、３〜１５個の炭素原子を含有する直鎖又は環式脂肪族又は芳香族炭化水素相溶化剤であり得る。いくつかの実施形態では、相溶化剤は、プロピレン及びプロパンを含む少なくともプロパン、ｎ−ブタン及びイソブタンを含むブタン、ｎ−ペンタン、イソペンタン、ネオペンタン、及びシクロペンタンを含むペンタン、ヘキサン、オクタン、ノナン、デカンなどからなる群から選択される少なくとも１つの炭化水素を含む。いくつかの実施形態では、相溶化剤は、Ｅｘｘｏｎ  Ｃｈｅｍｉｃａｌ（ＵＳＡ）から商標名Ｉｓｏｐａｒ（登録商標）Ｈで販売されているもの、ウンデカン（Ｃ１１）とドデカン（Ｃ１２）との混合物（高純度Ｃ１１〜Ｃ１２イソ−パラフィン）、Ａｒｏｍａｔｉｃ１５０（Ｃ９〜Ｃ１１芳香族）（Ａｒｏｍａｔｉｃ２００（Ｃ９〜Ｃ１５芳香族）及びＮａｐｔｈａ１４０（Ｃ５〜Ｃ１１パラフィンと、ナフテンと、芳香族炭化水素との混合物）、並びにこれらの混合物を含むがこれらに限定されない、市販の炭化水素である。
【０１５２】
いくつかの実施形態では、相溶化剤は、少なくとも１種のポリマー相溶化剤を含んでもよい。いくつかの実施形態では、ポリマー相溶化剤は、フッ素化アクリレート及び非フッ素化アクリレートのランダムコポリマーであり得、このポリマーは、式ＣＨ２＝Ｃ（Ｒ１）ＣＯ２Ｒ２、ＣＨ２＝Ｃ（Ｒ３）Ｃ６Ｈ４Ｒ４、及びＣＨ２＝Ｃ（Ｒ５）Ｃ６Ｈ４ＸＲ６によって表される少なくとも１つのモノマーの反復単位を含む（式中、Ｘが、酸素又は硫黄であり、Ｒ１、Ｒ３、及びＲ５が、Ｈ及びＣ１〜Ｃ４のアルキルラジカルからなる群から独立して選択され、Ｒ２、Ｒ４、及びＲ６が、Ｃ及びＦを含有する炭素鎖系ラジカルからなる群から独立して選択され、チオエーテル、スルホキシド、又はスルホン、及びこれらの混合物の形態でＨ、Ｃｌ、エーテル酸素、又は硫黄を更に含有し得る）。そのようなポリマー相溶化剤の例としては、商標名Ｚｏｎｙｌ（登録商標）ＰＨＳでＥ．Ｉ．ｄｕ  Ｐｏｎｔ  ｄｅ  Ｎｅｍｏｕｒｓ  ａｎｄ  Ｃｏｍｐａｎｙ（Ｗｉｌｍｉｎｇｔｏｎ，ＤＥ，１９８９８，ＵＳＡ）から市販されているようなものが挙げられる。Ｚｏｎｙｌ（登録商標）ＰＨＳは、４０重量％のＣＨ２＝Ｃ（ＣＨ３）ＣＯ２ＣＨ２ＣＨ２（ＣＦ２ＣＦ２）ｍＦ（Ｚｏｎｙｌ（登録商標）フルオロメタクリレート又はＺＦＭとも呼ばれる）であり、式中、ｍが、１〜１２、主に２〜８であるものと、６０重量％のラウリルメタクリレート（ＣＨ２＝Ｃ（ＣＨ３）ＣＯ２（ＣＨ２）１１ＣＨ３（ＬＭＡとも呼ばれる）とを重合することによって作製されたランダムコポリマーである。
【０１５３】
いくつかの実施形態では、相溶化剤成分は、潤滑剤の金属への粘着性を低下させる方法で、熱交換器中で見出される金属銅、アルミニウム、鋼、又は他の金属及びそれらの合金の表面エネルギーを低下させる（相溶化剤の総量に基づいて）約０．０１〜３０重量％の添加剤を含有する。金属表面エネルギーを低下させる添加剤の例としては、商標名Ｚｏｎｙｌ（登録商標）ＦＳＡ、Ｚｏｎｙｌ（登録商標）ＦＳＰ及びＺｏｎｙｌ（登録商標）ＦＳＪにてＤｕＰｏｎｔから市販されているものが挙げられる。
【０１５４】
いくつかの実施形態では、本明細書で提供される組成物は、金属表面不活性化剤である非冷媒成分を更に含む。いくつかの実施形態では、金属表面不活性化剤は、アレオキサリル（areoxalyl）ビス（ベンジリデン）ヒドラジド（ＣＡＳ登録番号６６２９−１０−３）、Ｎ，Ｎ’−ビス（３，５−ジ−ｔｅｒｔ−ブチル−４−ヒドロキシヒドロシンナモイルヒドラジン（ＣＡＳ登録番号３２６８７−７８−８）、２，２，’−オキサミドビス−エチル−（３，５−ジ−ｔｅｒｔ−ブチル−４−ヒドロキシヒドロシンナマート（ＣＡＳ登録番号７０３３１−９４−１）、Ｎ，Ｎ’−（ジサリシクリデン（disalicyclidene））−１，２−ジアミノプロパン（ＣＡＳ登録番号９４−９１−７）、エチレンジアミンテトラ−酢酸（ＣＡＳ登録番号６０−００−４）、又は前述のもののいずれかの塩、及びこれらの混合物からなる群から選択される。
【０１５５】
本明細書で提供される非冷媒成分は、ヒンダードフェノール、チオホスフェート、ブチル化トリフェニルホスホロチオネート、オルガノホスフェート、オルガノホスファイト、アリールアルキルエーテル、テルペン、テルペノイド、エポキシド、フッ素化エポキシド、オキセタン、アスコルビン酸、チオール、ラクトン、チオエーテル、アミン、ニトロメタン、アルキルシラン、ベンゾフェノン誘導体、アリールスルフィド、ジビニルテレフタル酸、ジフェニルテレフタル酸、アセトアルデヒドジメチルヒドラゾンなどのヒドラゾン、イオン性液体、及びこれらの混合物からなる群から選択される安定剤を更に含み得る。
【０１５６】
いくつかの実施形態では、安定剤は、トコフェロール；ヒドロキノン；ｔ−ブチルヒドロキノン；モノチオホスフェート、及びジチオホスフェート（Ｃｉｂａ  Ｓｐｅｃｉａｌｔｙ  Ｃｈｅｍｉｃａｌｓ，Ｂａｓｅｌ，Ｓｗｉｔｚｅｒｌａｎｄ（以後「Ｃｉｂａ」）から商標名Ｉｒｇａｌｕｂｅ（登録商標）６３として市販）；ジアルキルチオリン酸エステル（Ｃｉｂａからそれぞれ商標名Ｉｒｇａｌｕｂｅ（登録商標）３５３及びＩｒｇａｌｕｂｅ（登録商標）３５０として市販）；ブチル化トリフェニルホスホロチオネート（Ｃｉｂａから商標名Ｉｒｇａｌｕｂｅ（登録商標）２３２として市販）；アミンホスフェート（Ｃｉｂａから商標名Ｉｒｇａｌｕｂｅ（登録商標）３４９（Ｃｉｂａ）として市販）；ヒンダードホスファイト（ＣｉｂａからＩｒｇａｆｏｓ（登録商標）１６８として市販）、及びトリス−（ジ−ｔｅｒｔ−ブチルフェニル）ホスファイト（Ｃｉｂａから商標名Ｉｒｇａｆｏｓ（登録商標）ＯＰＨとして市販）；（Ｄｉ−ｎ−オクチルホスファイト）；及びイソ−デシルジフェニルホスファイト（ＣｉｂａからＩｒｇａｆｏｓ（登録商標）ＤＤＰＰとして市販）；トリメチルホスフェート、トリエチルホスフェート、トリブチルホスフェート、トリオクチルホスフェート、及びトリ（２−エチルヘキシル）ホスフェートなどのトリアルキルホスフェート；トリフェニルホスフェート、リン酸トリクレシル及びトリキシレニルホスフェートを含むトリアリールホスフェート、並びにイソプロピルフェニルホスフェート（ＩＰＰＰ）及びビス（ｔ−ブチルフェニル）フェニルホスフェート（ＴＢＰＰ）を含む混合アルキルアリールホスフェート；Ｓｙｎ−Ｏ−Ａｄ（登録商標）８７８４など、商標名Ｓｙｎ−Ｏ−Ａｄ（登録商標）にて市販されているものなどのブチル化トリフェニルホスフェート；商標名Ｄｕｒａｄ（登録商標）６２０として市販のものなどのｔｅｒｔ−ブチル化トリフェニルホスフェート；商標名Ｄｕｒａｄ（登録商標）２２０及びＤｕｒａｄ（登録商標）１１０で市販されているものなどのイソプロピルトリフェニルホスフェート；アニソール；１，４−ジメトキシベンゼン；１，４−ジエトキシベンゼン；１，３，５−トリメトキシベンゼン；ミルセン、アロオシメン、リモネン（特にｄ−リモネン）；レチナール；ピネン；メントール；ゲラニオール；ファルネソール；フィトール；ビタミンＡ；テルピネン；δ−３−カレン；テルピノレン；フェランドレン；フェンチェン；ジペンテン；リコピンなどのカラテノイド（caratenoids）、βカロチン、及びゼアキサンチンなどのキサントフィル；ヘパキサンチン及びイソトレチノインなどのレチノイド；ボルナン；１，２−プロピレンオキシド；１，２−ブチレンオキシド；ｎ−ブチルグリシジルエーテル；トリフルオロメチルオキシラン；１，１−ビス（トリフルオロメチル）オキシラン；３−エチル−３−ヒドロキシメチル−オキセタン（例えば、ＯＸＴ−１０１（Ｔｏａｇｏｓｅｉ  Ｃｏ．，Ｌｔｄ））；３−エチル−３−（（フェノキシ）メチル）−オキセタン（例えば、ＯＸＴ−２１１（Ｔｏａｇｏｓｅｉ  Ｃｏ．，Ｌｔｄ））；３−エチル−３−（（２−エチル−ヘキシルオキシ）メチル）−オキセタン（例えば、ＯＸＴ−２１２���Ｔｏａｇｏｓｅｉ  Ｃｏ．，Ｌｔｄ））；アスコルビン酸；メタンチオール（メチルメルカプタン）；エタンチオール（エチルメルカプタン）；コエンザイムＡ；ジメルカプトコハク酸（ＤＭＳＡ）；グレープフルーツメルカプタン（（Ｒ）−２−（４−メチルシクロヘキサ−３−エニル）プロパン−２−チオール））；システイン（（Ｒ）−２−アミノ−３−スルファニル−プロパン酸）；リポアミド（１，２−ジチオラン−３−ペンタンアミド）；５，７−ビス（１，１−ジメチルエチル）−３−［２，３（又は３，４）−ジメチルフェニル］−２（３Ｈ）−ベンゾフラノン（Ｃｉｂａから商標名Ｉｒｇａｎｏｘ（登録商標）ＨＰ−１３６として市販）；ベンジルフェニルスルフィド；ジフェニルスルフィド；ジイソプロピルアミン；商標名Ｉｒｇａｎｏｘ（登録商標）ＰＳ８０２（Ｃｉｂａ）でＣｉｂａから市販されているジオクタデシル３，３’−チオジプロピオネート；ジドデシル３，３’−チオプロピオネート（Ｃｉｂａから商標名Ｉｒｇａｎｏｘ（登録商標）ＰＳ８００として市販）；ジ−（２，２，６，６−テトラメチル−４−ピペリジル）セバケート（Ｃｉｂａから商標名Ｔｉｎｕｖｉｎ（登録商標）７７０として市販）；ポリ−（Ｎ−ヒドロキシエチル−２，２，６，６−テトラメチル−４−ヒドロキシ−ピペリジルスクシネート（Ｃｉｂａから商標名Ｔｉｎｕｖｉｎ（登録商標）６２２ＬＤ（Ｃｉｂａ）として市販）；メチルビスタローアミン；ビスタローアミン；フェノール−α−ナフチルアミン；ビス（ジメチルアミノ）メチルシラン（ＤＭＡＭＳ）；トリス（トリメチルシリル）シラン（ＴＴＭＳＳ）；ビニルトリエトキシシラン；ビニルトリメトキシシラン；２，５−ジフルオロベンゾフェノン；２’，５’−ジヒドロキシアセトフェノン；２−アミノベンゾフェノン；２−クロロベンゾフェノン；ベンジルフェニルスルフィド；ジフェニルスルフィド；ジベンジルスルフィド；イオン性液体；並びにこれらの任意の混合物からなる群から選択される。
【０１５７】
いくつかの実施形態では、本明細書で提供される組成物は、イオン性液体安定剤である添加剤を更に含む。いくつかの実施形態では、イオン性液体安定剤は、室温（約２５℃）で液体である有機塩からなる群から選択される。他の実施形態では、有機塩は、イオン性液体の安定剤は、ピリジニウム、ピリダジニウム、ピリミジニウム、ピラジウム、イミダゾリウム、ピラゾリウム、チアゾリウム、オキサゾリウム、及びトリアゾリウム、並びにこれらの任意の混合物からなる群から選択されるカチオンと、ＢＦ４−、ＰＦ６−、ＳｂＦ６−、ＣＦ３ＳＯ３−、（ＨＣＦ２ＣＦ２ＳＯ３）−、（ＣＦ３ＨＦＣＣＦ２ＳＯ３）−、（ＨＣＣｌＦＣＦ２ＳＯ３）−、［（ＣＦ３ＳＯ２）２Ｎ］−、［（ＣＦ３ＣＦ２ＳＯ２）２Ｎ］−、［（ＣＦ３ＳＯ２）３Ｃ］−、（ＣＦ３ＣＯ２）−、及びＦ−、並びにこれらの任意の混合物からなる群より選択されるアニオンと、を含む。いくつかの実施形態では、イオン性液体安定剤は、ｅｍｉｍ  ＢＦ４（１−エチル−３−メチルイミダゾリウムテトラフルオロボラート）、ｂｍｉｍ  ＢＦ４（１−ブチル−３−メチルイミダゾリウムテトラボラート）；ｅｍｉｍ  ＰＦ６（１−エチル−３−メチルイミダゾリウムヘキサフルオロホスフェート）；及びｂｍｉｍ  ＰＦ６（１−ブチル−３−メチルイミダゾリウムヘキサフルオロホスフェート）からなる群から選択され、これらの全ては、Ｆｌｕｋａ（Ｓｉｇｍａ−Ａｌｄｒｉｃｈ）より入手可能である。
【０１５８】
いくつかの実施形態では、本明細書で提供される組成物は、ヒンダードフェノールである安定剤を更に含む。いくつかの実施形態では、ヒンダードフェノールは、２，６−ジ−ｔｅｒｔ−ブチル−４−メチルフェノール；２，６−ジ−ｔｅｒｔ−ブチル−４−エチルフェノール；２，４−ジメチル−６−ｔｅｒｔブチルフェノール；トコフェロール；などｔ−ブチルヒドロキノン、ヒドロキノンの他の誘導体などを含むヒドロキノン及びアルキル化ヒドロキノン；など、４，４’−チオ−ビス（２−メチル−６−ｔｅｒｔ−ブチルフェノール）を含むヒドロキシル化チオジフェニルエーテル；４，４’−チオビス（３−メチル−６−ｔｅｒｔブチルフェノール）；２，２’−チオビス（４メチル−６−ｔｅｒｔ−ブチルフェノール）；など、４，４’−メチレンビス（２，６−ジ−ｔｅｒｔ−ブチルフェノール）を含むアルキリデン−ビスフェノール；４，４’−ビス（２，６−ジ−ｔｅｒｔ−ブチルフェノール）；２，２−、又は４，４−ビフェノールジオール誘導体；２，２’−メチレンビス（４−エチル−６−ｔｅｒｔブチルフェノール）；２，２’−メチレンビス（４−メチル−６−ｔｅｒｔブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール；２，２’−メチレンビス（４−メチル−６−シクロヘキシルフェノール、２，２−又は４，４−ビフェニルジオール（２，２’−メチレンビス（４−エチル−６−ｔｅｒｔ−ブチルフェノール）など）；ブチル化ヒドロキシトルエン（ＢＨＴ、又は２，６−ジ−ｔｅｒｔ−ブチル−４−メチルフェノール）、（２，６−ジ−ｔｅｒｔ−アルファ−ジメチルアミノ−ｐ−クレゾール、４，４−チオビス（６−ｔｅｒｔ−ブチル−ｍ−クレゾール）を含むヘテロ原子を含むビスフェノール；など、アシルアミノフェノール；２，６−ジ−ｔｅｒｔ−ブチル−４（Ｎ，Ｎ’−ジメチルアミノメチルフェノール）；以下などのスルフィド；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、並びにこれらの任意の混合物を含むアルキル化モノフェノールなどの１種以上の置換若しくは環式、直鎖、又は分枝鎖脂肪族置換基を含むフェノールを含む、任意の置換フェノール化合物である。
【０１５９】
いくつかの実施形態では、本明細書で提供される組成物は、トレーサである非冷媒成分を更に含む。いくつかの実施形態では、トレーサは、同一の分類の化合物又は異なる分類の化合物の２種以上のトレーサ化合物を含む。いくつかの実施形態では、トレーサは、全組成物の重量に基づいて、約５０重量百万分率（ｐｐｍ）〜約１０００ｐｐｍの合計濃度で組成物中に存在する。他の実施形態では、トレーサは、約５０ｐｐｍ〜約５００ｐｐｍの合計濃度で組成物中に存在する。いくつかの実施形態では、トレーサは、約１００ｐｐｍ〜約３００ｐｐｍの合計濃度で組成物中に存在する。
【０１６０】
いくつかの実施形態では、トレーサは、ヒドロフルオロカーボン（ＨＦＣ）、重水素化ヒドロフルオロカーボン、パーフルオロカーボン、フルオロエーテル、臭素化化合物、ヨウ素酸化合物、アルコール、アルデヒド及びケトン、亜酸化窒素、並びにこれらの組み合わせからなる群から選択される。いくつかの実施形態では、トレーサは、フルオロエタン、１，１，−ジフルオロエタン、１，１，１−トリフルオロエタン、１，１，１，３，３，３−ヘキサフルオロプロパン、１，１，１，２，３，３，３−ヘプタフルオロプロパン、１，１，１，３，３−ペンタフルオロプロパン、１，１，１，３，３−ペンタフルオロブタン、１，１，１，２，３，４，４，５，５，５−デカフルオロペンタン、１，１，１，２，２，３，４，５，５，６，６，７，７，７−トリデカフルオロヘプタン、ヨードトリフルオロメタン、重水素化炭化水素、重水素化ヒドロフルオロカーボン、パーフルオロカーボン、フルオロエーテル、臭素化化合物、ヨード化化合物、アルコール、アルデヒド、ケトン、亜酸化窒素（Ｎ２Ｏ）、及びこれらの任意の混合物からなる群から選択される。いくつかの実施形態では、組成物のなんらかの希釈、汚染、又は他の変更を検出できるようにするために、トレーサは、所定の量で本発明の組成物に添加されてもよい。
【０１６１】
いくつかの実施形態では、本明細書で提供される組成物は、参照によりその開示がその開示全体が本明細書に組み込まれる、米国特許公開第２００７−０２８４５５５号に記載のペルフルオロポリエーテルである添加剤を更に含む。
【０１６２】
非冷媒成分に好適であると本明細書で参照される特定の添加剤は、潜在的な冷媒として特定されていることが認識されるであろう。しかしながら、本発明によれば、これらの添加剤が使用される場合、本発明の冷媒混合物の新規かつ基本的特徴に影響を及ぼし得る量では存在しない。
【０１６３】
本明細書に記載のように、本発明のプロセスに従って調製された組成物は、ゼロのオゾン層破壊係数及び低地球温暖化係数（ＧＷＰ）を有する。更に、本発明で提供される組成物は、現在使用中の多くのヒドロフルオロカーボン冷媒よりも低い地球温暖化係数を有し得る。したがって、本発明によれば、本明細書に記載の組成物は、冷却を生み出すための方法、加熱を生み出すための方法、及び熱を伝達するための方法において有用であり得る。
【実施例】
【０１６４】
本発明を、具体的な実施例によって、より詳細に説明する。以下の実施例は、例示目的のために提供され、いかなる意味でも、本発明を限定することを意図するものではない。
【０１６５】
実施例１．低下した有効ＧＷＰを有する組成物の調製
ＧＷＰは、１トンのガスの排出が所与の期間にわたってどのくらいのエネルギーを吸収するかの尺度であるため、装置又はシステムでの使用から再利用され、続いてリサイクル及び／又は精製される化合物（例えば、ヒドロフルオロカーボン又はヒドロフルオロオレフィン）は、新たに製造された化合物と比較して、最小又はゼロの「有効ＧＷＰ」に寄与する。例えば、表９に示されるように、組成物Ｒ−４４９Ａは、２４．３重量％のＨＦＣ−３２、２４．７重量％のＨＦＣ−１２５、２５．７重量％のＨＦＣ−１３４ａ、及び２５．３重量％のＨＦＯ−１２３４ｙｆを含有し、１２８２のＧＷＰを有する冷媒混合物である。Ｒ−４４９Ａを１種以上のリサイクル／再利用／精製された成分（例えば、Ｒ−４４９Ａを配合するために、冷媒装置又はシステムから回収し、続いて精製し、ブレンドした成分）を使用して調製することによって、Ｒ−４４９ＡのＧＷＰを、最大９９％だけ低下させることができる。表９に提供されるデータでは、冷媒ブレンドの回収／リサイクル／再利用された部分は、冷媒ブレンドの有効ＧＷＰへの寄与がゼロであると考えられる。
【０１６６】
【表１３】
2021529853.tif 000014
【０１６７】
表１０〜１１は、回収／リサイクル／再利用されたＨＦＣ成分を使用して、Ｒ−５１３Ａ（４４重量％のＨＦＣ−１３４ａ、５６重量％のＨＦＯ−１２３４ｙｆ）及びＲ−４５２Ｂ（６７重量％のＨＦＣ−３２、７重量％のＨＦＣ−１２５、２６重量％のＨＦＯ−１２３４ｙｆ）のＧＷＰを、それぞれ９９．９％及び４０％だけ低下させることができることを示す。
【０１６８】
【表１４】
2021529853.tif 000015
【０１６９】
【表１５】
2021529853.tif 000016
【０１７０】
実施例２．バージン原料を使用してＲ−４４９Ａを調製するためのプロセス
冷媒Ｒ−４４９Ａは名目上、２４．３重量パーセントのＨＦＣ−３２と、２４．７重量パーセントのＨＦＣ−１２５と、２５．７重量パーセントのＨＦＣ−１３４ａと、２５．３重量パーセントのＨＦＯ−１２３４ｙｆとの混合物である。４つの成分（すなわち、新たに製造された成分）のバージン原料を使用してブレンドする場合、Ｒ−４４９Ａは、約１２８１のＧＷＰを有する。１ｋｇのＲ−４４９Ａを調製するための例示的なプロセスを以下に記載する。
１．ブレンド容器を洗浄、乾燥、及び排気することによって、冷媒容器を準備する。
２．ブレンド容器からＨＦＣ−１３４ａの供給容器に移送ラインを取り付ける。
３．２５３ｇのＨＦＣ−１３４ａをブレンド容器内に秤量することによって、移送する。
４．ブレンド容器からＨＦＯ−１２３４ｙｆの供給容器に移送ラインを取り付ける。
５．２５７ｇのＨＦＯ−１２３４ｙｆをブレンド容器内に秤量することによって、移送する。
６．ブレンド容器からＨＦＣ−１２５の供給容器に移送ラインを取り付ける。
７．２４７ｇのＨＦＣ−１２５をブレンド容器内に秤量することによって、移送する。
８．ブレンド容器からＨＦＣ−３２の供給容器に移送ラインを取り付ける。
９．２４３ｇのＨＦＣ−３２をブレンド容器内に秤量することによって、移送する。
１０．圧延又は他の手段によって、ブレンド容器内の成分を約１時間十分に混合する。
１１．ブレンド容器から冷媒の液相の試料を得、ガスクロマトグラフィー（ＧＣ）によって分析して、調製されたＲ−４４９Ａの測定された組成が許容可能な仕様及び許容度内であることを確認する。
【０１７１】
実施例３．リサイクルされたＲ−１３４ａを使用してＲ−４４９Ａを調製するためのプロセス
１ｋｇのＲ−４４９Ａは、２６％の回収／リサイクル／再利用されたＨＦＣ含有量を使用して調製され、以下に記載の例示的な手順に従って回収及び再利用及び／又はリサイクルされたＲ−１３４ａを使用して調製した場合、約２６％低い「有効」ＧＷＰを示す。
１．ブレンド容器を洗浄、乾燥、及び排気することによって、冷媒容器を準備する。
２．空の排気したブレンド容器からリサイクル又は再利用されたＨＦＣ−１３４ａの供給容器に移送ラインを取り付ける。
３．２５３グラムのリサイクル又は再利用されたＨＦＣ−１３４ａをブレンド容器内に秤量することによって、移送する。
ａ．回収されたＨＦＣ−１３４ａは、冷蔵装置又はシステム（例えば、器具、自動車、又は任意の他の冷蔵、空調、若しくはヒートポンプシステム）から、使用済みＨＦＣ−１３４ａを除去することによって得ることができる。
ｂ．回収されたＨＦＣ−１３４ａ中の不純物は、それを使用して新たなブレンドを調製する前に、回収されたＨＦＣ−１３４ａから除去されなければならない。
ｃ．不純物としては、錆、油（複数可）、汚れ、水、空気、他の非凝縮性ガスなどを含むがこれらに限定されない、新たな冷媒ブレンド中に有することが望ましくない任意の固形分、液体、又は気体が挙げられる。
ｄ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける。
５．２５７ｇのＨＦＯ−１２３４ｙｆをブレンド容器内に秤量することによって、移送する。
６．ブレンド容器からＨＦＣ−１２５の供給容器に移送ラインを取り付ける。
７．２４７ｇのＨＦＣ−１２５をブレンド容器内に秤量することによって、移送する。
８．ブレンド容器からＨＦＣ−３２の供給容器に移送ラインを取り付ける。
９．２４３ｇのＨＦＣ−３２をブレンド容器内に秤量することによって、移送する。
１０．圧延又は他の手段によって、ブレンド容器内の成分を約１時間十分に混合する。
１１．ブレンド容器から冷媒の液相の試料を得、ＧＣによって分析して、調製されたＲ−４４９Ａの測定された組成が許容可能な仕様及び許容度内であることを確認する。
１２．個々の成分のうちの１種以上をブレンド容器内の調製された混合物に添加して、全組成を仕様範囲内にすることが必要であり得る。
【０１７２】
実施例４．リサイクルされたＲ−４１０Ａを使用してＲ−４４９Ａを調製するためのプロセス
１ｋｇのＲ−４４９Ａは、４９％のリサイクル／再利用されたＨＦＣ含有量を使用して調製され、以下に記載の例示的な手順に従って再利用及び／又はリサイクルされたＲ−４１０Ａを使用して調製した場合、約７３％低い「有効」ＧＷＰを示す。
１．実施例３の工程１〜５に従う。
２．ＨＦＣ−１３４ａ及びＨＦＯ−１２３４ｙｆをブレンド容器に充填した後、ＨＦＣ−１２５及びＨＦＣ−３２を個々の成分として添加することによって続ける代わりに、以下のように回収／リサイクル／再利用されたＲ−４１０Ａを添加する。
３．空の排気したブレンド容器から回収されたＲ−４１０Ａの供給容器（Ｒ−１２５とＲ−３２との５０／５０重量％ブレンド）に移送ラインを取り付ける。
４．４９０ｇのＲ−４１０Ａをブレンド容器内に秤量することによって、移送する。
ａ．回収されたＲ−４１０Ａは、冷蔵装置又はシステム（例えば、器具、自動車、又は任意の他の冷蔵、空調、若しくはヒートポンプシステム）から、使用済みＲ−４１０Ａを除去することによって得ることができる。
ｂ．錆、油（複数可）、汚れ、水、空気、他の非凝縮性ガスなどを含むがこれらに限定されない、回収されたＲ−４１０Ａ中の不純物は、それを使用して新たな冷媒ブレンドを調製する前に、回収されたＲ−４１０Ａから除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
５．圧延又は他の手段によって、ブレンド容器内の成分を約１時間十分に混合する。
６．ブレンド容器から冷媒の液相の試料を得、ＧＣによって分析して、調製されたＲ−４４９Ａの測定された組成が許容可能な仕様及び許容度と共にあることを確認する。
７．個々の成分のうちの１種以上をブレンド容器内の調製された混合物に添加して、全組成を仕様範囲内にすることが必要であり得る。
【０１７３】
実施例５．リサイクルされたＲ−４０７Ａを使用してＲ−４４９Ａを調製するためのプロセス
１ｋｇのＲ−４４９Ａは、６２％のリサイクル／再利用されたＨＦＣ含有量を使用して調製され、以下に記載の例示的な手順に従って回収及び再利用されたＲ−４０７Ａ（それぞれ２０／４０／４０重量％のＨＦＣ−３２／ＨＦＣ−１２５／ＨＦＣ−１３４ａの混合物）を使用して調製した場合、約９３％低い「有効」ＧＷＰを呈する。
１．ブレンド容器を洗浄、乾燥、及び排気することによって、冷媒容器を準備する。
２．ブレンド容器からＨＦＯ−１２３４ｙｆの供給容器に移送ラインを取り付ける。
３．２５０ｇのＨＦＯ−１２３４ｙｆをブレンド容器内に秤量することによって、移送する。
４．ブレンド容器からＲ−４０７Ａの供給容器に移送ラインを取り付ける。
５．６２５ｇの回収されたＲ−４０７Ａをシリンダー内に秤量することによって、移送する。
ａ．回収されたＲ−４０７Ａは、冷蔵装置又はシステム（例えば、器具、自動車、又は任意の他の冷蔵、空調、若しくはヒートポンプシステム）から、使用済みＲ−４０７Ａを除去することによって得ることができる。
ｂ．錆、油（複数可）、汚れ、水、空気、他の非凝縮性ガスなどを含むがこれらに限定されない、回収されたＲ−４０７Ａ純度中の不純物は、それを使用して新たな冷媒ブレンドを調製する前に、回収されたＲ−４０７Ａから除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
６．ブレンド容器からＨＦＣ−３２の供給容器に移送ラインを取り付ける。
７．１２５ｇのＨＦＣ−３２をブレンド容器内に秤量することによって、移送する。
８．圧延又は他の手段によって、ブレンド容器内の成分を約１時間十分に混合する。
９．ブレンド容器から冷媒の液相の試料を得、ＧＣによって分析して、調製されたＲ−４４９Ａの測定された組成が許容可能な仕様及び許容度と共にあることを確認する。
１０．個々の成分のうちの１種以上をブレンド容器内の調製された混合物に添加して、全組成を仕様範囲内にすることが必要であり得る。
【０１７４】
実施例６．リサイクルされたＲ−１３４ａ及びリサイクルされたＲ−４１０Ａを使用してＲ−４４９Ａを調製するためのプロセス
１ｋｇのＲ−４４９Ａは、７５％のリサイクル／再利用されたＨＦＣ含有量を使用して調製され、以下に記載の例示的な手順に従って、回収、再利用、及び／又はリサイクルされたＲ−１３４ａ及びＲ−４１０Ａを使用して調製した場合、９９％超低い「有効」ＧＷＰを示す。
１．ブレンド容器を洗浄、乾燥、及び排気することによって、冷媒容器を準備する。
２．ブレンド容器から回収されたＨＦＣ−１３４ａの供給容器に移送ラインを取り付ける。
３．２５３グラムの回収されたＨＦＣ−１３４ａをシリンダー内に秤量することによって、移送する。
ａ．回収されたＨＦＣ−１３４ａは、冷蔵装置又はシステム（例えば、器具、自動車、又は任意の他の冷蔵、空調、若しくはヒートポンプシステム）から、使用済みＨＦＣ−１３４ａを除去することによって得ることができる。
ｂ．錆、油（複数可）、汚れ、水、空気、他の非凝縮性ガスなどを含むがこれらに限定されない、回収されたＨＦＣ−１３４ａ中の不純物は、それを使用して新たな冷媒ブレンドを調製する前に、回収されたＨＦＣ−１３４ａから除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける。
５．２５７ｇのＨＦＯ−１２３４ｙｆをブレンド容器内に秤量することによって、移送する。
６．ブレンド容器からリサイクル／再利用／回収されたＲ−４１０Ａの供給容器に移送ラインを取り付ける。
７．４９０ｇのＲ−４１０Ａをシリンダー内に秤量することによって、移送する。
ａ．回収されたＲ−４１０Ａは、冷蔵装置又はシステム（例えば、器具、自動車、又は任意の他の冷蔵、空調、若しくはヒートポンプシステム）から、使用済みＲ−４１０Ａを除去することによって得ることができる。
ｂ．錆、油（複数可）、汚れ、水、空気、他の非凝縮性ガスなどを含むがこれらに限定されない、回収されたＲ−４１０Ａ中の不純物は、それを使用して新たな冷媒ブレンドを調製する前に、回収されたＲ−４１０Ａから除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
８．圧延又は他の手段によって、ブレンド容器内の成分を約１時間十分に混合する。
９．ブレンド容器から冷媒の液相の試料を得、ＧＣによって分析して、調製されたＲ−４４９Ａの測定された組成が許容可能な仕様及び許容度内であることを確認する。
【０１７５】
実施例７．リサイクルされたＲ−１３４ａを使用してＲ−５１３Ａを調製するためのプロセス
１ｋｇのＲ−５１３Ａは、４４％のリサイクル／再利用されたＨＦＣ含有量を使用して調製され、以下に記載の例示的な手順に従って、回収、再利用、及び／又はリサイクルされたＲ−１３４ａを使用して調製した場合、９９％超低い「有効」ＧＷＰを示す。
１．ブレンド容器を洗浄、乾燥、及び排気することによって、冷媒容器を準備する。
２．ブレンド容器から回収されたＨＦＣ−１３４ａの供給容器に移送ラインを取り付ける。
３．４４０ｇの回収されたＨＦＣ−１３４ａをブレンド容器内に秤量することによって、移送する。
ａ．回収されたＨＦＣ−１３４ａは、冷蔵装置又はシステム（例えば、器具、自動車、又は任意の他の冷蔵若しくは空調システム）から、使用済みＨＦＣ−１３４ａを除去することによって得ることができる。
ｂ．錆、油（複数可）、汚れ、水、空気、他の非凝縮性ガスなどを含むがこれらに限定されない、回収されたＨＦＣ−１３４ａ純度中の不純物は、それを使用して新たな冷媒ブレンドを調製する前に、回収されたＨＦＣ−１３４ａから除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける。
５．５６０ｇのＨＦＯ−１２３４ｙｆをブレンド容器内に秤量することによって、移送する。
６．圧延又は他の手段によって、ブレンド容器内の成分を約１時間十分に混合する。
７．ブレンド容器から冷媒の液相の試料を得、ＧＣによって分析して、調製されたＲ−５１３Ａの測定された組成が許容可能な仕様及び許容度内であることを確認する。
８．個々の成分のうちの１種以上をブレンド容器内の調製された混合物に添加して、全組成を仕様範囲内にすることが必要であり得る。
【０１７６】
実施例８．リサイクルされたＨＦＣ−３２を使用してＲ−４５４Ａを調製するためのプロセス
１ｋｇのＲ−４５４Ａは、３５％のリサイクル／再利用されたＨＦＣ含有量を使用して調製され、以下に記載の例示的な手順に従って再利用及び／又はリサイクルされたＲ−３２を使用して調製した場合、９９％より低い「有効」ＧＷＰを示す。
１．ブレンド容器を洗浄、乾燥、及び排気することによって、冷媒容器を準備する。
２．ブレンド容器から回収されたＨＦＣ−３２の供給容器に移送ラインを取り付ける
３．３５０ｇの回収されたＨＦＣ−３２をシリンダー内に秤量することによって、移送する
ａ．回収されたＨＦＣ−３２は、冷蔵装置又はシステム（例えば、器具、自動車、又は任意の他の冷蔵、空調、若しくはヒートポンプシステム）から、使用済みＨＦＣ−３２を除去することによって得ることができる。
ｂ．錆、油（複数可）、汚れ、水、空気、他の非凝縮性ガスなどを含むがこれらに限定されない、回収されたＨＦＣ−３２純度中の不純物は、それを使用して新たな冷媒ブレンドを調製する前に、回収されたＨＦＣ−３２から除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける。
５．６５０ｇのＨＦＯ−１２３４ｙｆをブレンド容器内に秤量することによって、移送する。
６．圧延又は他の手段によって、ブレンド容器内の成分を約１時間十分に混合する。
７．ブレンド容器から冷媒の液相の試料を得、ＧＣによって分析して、調製されたＲ−４５４Ａの測定された組成が仕様及び許容度内であることを確認する。
８．個々の成分のうちの１種以上をブレンド容器内の調製された混合物に添加して、全組成を仕様範囲内にすることが必要であり得る。
【０１７７】
実施例９．リサイクルされたＨＦＣ−３２を使用してＲ−４５４Ｂを調製するためのプロセス
１ｋｇのＲ−４５４Ｂは、６８．９％のリサイクル／再利用されたＨＦＣ含有量を使用して調製され、以下に記載の例示的な手順に従って再利用及び／又はリサイクルされたＲ−３２を使用して調製した場合、９９％より低い「有効」ＧＷＰを示す。
１．ブレンド容器を洗浄、乾燥、及び排気することによって、冷媒容器を準備する。
２．空の排気した容器から回収されたＨＦＣ−３２の供給容器に移送ラインを取り付ける。
３．６８９ｇの回収されたＨＦＣ−３２をブレンド容器内に秤量することによって、移送する。
ａ．回収されたＨＦＣ−３２は、冷蔵装置又はシステム（例えば、器具、自動車、又は任意の他の冷蔵、空調、若しくはヒートポンプシステム）から、使用済みＨＦＣ−３２を除去することによって得ることができる。
ｂ．錆、油（複数可）、汚れ、水、空気、他の非凝縮性ガスなどを含むがこれらに限定されない、回収されたＨＦＣ−３２純度中の不純物は、それを使用して新たな冷媒ブレンドを調製する前に、回収されたＨＦＣ−３２から除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける
５．３１１ｇのＨＦＯ−１２３４ｙｆをブレンド容器内に秤量することによって、移送する。
６．圧延又は他の手段によって、ブレンド容器内の成分を約１時間十分に混合する。
７．ブレンド容器から冷媒の液相の試料を得、ＧＣによって分析して、調製されたＲ−４５４Ｂの測定された組成が仕様及び許容度内であることを確認する。
８．個々の成分のうちの１種以上をブレンド容器内の調製された混合物に添加して、全組成を仕様範囲内にすることが必要であり得る。
【０１７８】
実施例１０．リサイクルされたＨＦＣ−３２を使用してＲ−４５４Ｃを調製するためのプロセス
１ｋｇのＲ−４５４Ｃは、２１．５％のリサイクル／再利用されたＨＦＣ含有量を使用して調製され、以下に記載の例示的な手順に従って再利用及び／又はリサイクルされたＲ−３２を使用して調製した場合、９９％より低い「有効」ＧＷＰを示す。
１．ブレンド容器を洗浄、乾燥、及び排気することによって、冷媒容器を準備する。
２．ブレンド容器から回収されたＨＦＣ−３２の供給容器に移送ラインを取り付ける
３．２１５ｇの回収されたＨＦＣ−３２をブレンド容器内に秤量することによって、移送する。
ａ．回収されたＨＦＣ−３２は、冷蔵装置又はシステム（例えば、器具、自動車、又は任意の他の冷蔵、空調、若しくはヒートポンプシステム）から、使用済みＨＦＣ−３２を除去することによって得ることができる。
ｂ．錆、油（複数可）、汚れ、水、空気、他の非凝縮性ガスなどを含むがこれらに限定されない、回収されたＨＦＣ−３２純度中の不純物は、それを使用して新たな冷媒ブレンドを調製する前に、回収されたＨＦＣ−３２から除去されなければならない。
ｃ．不純物の除去は、濾過、分子篩を使用する乾燥機、蒸留、蒸気空間パージ（vapor space purging）などを含むがこれらに限定されない、様々な方法によって達成することができる。
４．ブレンド容器からＨＦＯ−１２３４ｙｆの供給容器に移送ラインを取り付ける。
５．７８５ｇのＨＦＯ−１２３４ｙｆをブレンド容器内に秤量することによって、移送する。
６．圧延又は他の手段によって、ブレンド容器内の成分を約１時間十分に混合する。
７．ブレンド容器から冷媒の液相の試料を得、ＧＣによって分析して、調製されたＲ−４５４Ｃの測定された組成が仕様及び許容度内であることを確認する。
８．個々の成分のうちの１種以上をブレンド容器内の調製された混合物に添加して、全組成を仕様範囲内にすることが必要であり得る。
【０１７９】
他の実施形態
１．いくつかの実施形態では、本出願は、１種以上の精製ヒドロフルオロカーボン化合物を含む冷媒ブレンドを調製するプロセスであって、
（ａ）１種以上の冷蔵、空調、又はヒートポンプシステムから、１種以上のヒドロフルオロカーボンを回収する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、冷媒ブレンドを形成する工程と、を含み、
１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される、プロセスを提供する。
２．１種以上のヒドロフルオロオレフィンの各々が、約１０未満の有効地球温暖化係数を有する、実施形態１に記載のプロセス。
３．１種以上のヒドロフルオロオレフィンの各々が、約２未満の有効地球温暖化係数を有する、実施形態１に記載のプロセス。
４．１種以上のヒドロフルオロオレフィンの各々が、約１未満の有効地球温暖化係数を有する、実施形態１に記載のプロセス。
５．工程（ｂ）が、工程（ｃ）の混合の前に１回以上実行される、実施形態１〜４のいずれか１つに記載のプロセス。
６．
（ｄ）１種以上の冷蔵、空調、又はヒートポンプシステムから、１種以上のヒドロフルオロオレフィンを再利用する工程と、
（ｅ）１種以上のヒドロフルオロオレフィンを精製して、１種以上の精製ヒドロフルオロオレフィンを形成する工程と、を更に含む、実施形態１〜５のいずれか１つに記載のプロセス。
７．工程（ｄ）及び（ｅ）が各々、工程ｃ）のブレンドの前に実行される、実施形態６に記載のプロセス。
８．１種以上の精製ヒドロフルオロカーボン又は精製ヒドロフルオロオレフィン化合物の各々が、約０の有効地球温暖化係数を有する、実施形態１〜７のいずれか１つに記載のプロセス。
９．１種以上のヒドロフルオロオレフィンが、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、実施形態１〜８のいずれか１つに記載のプロセス。
１０．ヒドロフルオロカーボン化合物が、ジフルオロメタン（Ｒ−３２）である、実施形態１〜９のいずれか１つに記載のプロセス。
１１．ヒドロフルオロオレフィンが、２，３，３，３−テトラフルオロプロペン（ＨＦＯ−１２３４ｙｆ）である、実施形態１〜１０のいずれか１つに記載のプロセス。
１２．冷媒ブレンドが、
約２１〜約２２重量パーセントの精製ジフルオロメタン（Ｒ−３２）と、
約７８〜約７９重量パーセントの２，３，３，３−テトラフルオロプロペン（ＨＦＯ−１２３４ｙｆ）と、を含む、実施形態１〜１１のいずれか１つに記載のプロセス。
１３．冷媒ブレンドが、
約６８〜約６９重量パーセントの精製ジフルオロメタン（Ｒ−３２）と、
約３０〜約３１重量パーセントの２，３，３，３−テトラフルオロプロペン（ＨＦＯ−１２３４ｙｆ）と、を含む、実施形態１〜１１のいずれか１つに記載のプロセス。
１４．冷媒ブレンドが、
約３４〜約３６重量パーセントの精製ジフルオロメタン（Ｒ−３２）と、
約６４〜約６６重量パーセントの２，３，３，３−テトラフルオロプロペン（ＨＦＯ−１２３４ｙｆ）と、を含む、実施形態１〜１１のいずれか１つに記載のプロセス。
１５．ヒドロフルオロカーボンが、ジフルオロメタン（Ｒ−３２）とペンタフルオロエタン（Ｒ−１２５）との混合物である、実施形態１〜９のいずれか１つに記載のプロセス。
１６．ヒドロフルオロオレフィンが、２，３，３，３−テトラフルオロプロペン（ＨＦＯ−１２３４ｙｆ）である、実施形態１〜９及び１５のいずれか１つに記載のプロセス。
１７．冷媒ブレンドが、
約６６〜約６８重量パーセントの精製ジフルオロメタン（Ｒ−３２）と、
約６〜約８重量パーセントの精製ペンタフルオロエタン（Ｒ−１２５）と、
約２５〜約２７重量パーセントの２，３，３，３−テトラフルオロプロペン（ＨＦＯ−１２３４ｙｆ）と、を含む、実施形態１〜９、１５、及び１６のいずれか１つに記載のプロセス。
１８．１種以上のヒドロフルオロカーボン化合物が、ジフルオロメタン（Ｒ−３２）と、ペンタフルオロエタン（Ｒ−１２５）と、１，１，１，２−テトラフルオロエタン（Ｒ−１３４ａ）との混合物である、実施形態１〜９のいずれか１つに記載のプロセス。
１９．ヒドロフルオロオレフィンが、２，３，３，３−テトラフルオロプロペン（ＨＦＯ−１２３４ｙｆ）である、実施形態１〜９及び１８のいずれか１つに記載のプロセス。
２０．冷媒ブレンドが、
約２４〜約２５重量パーセントの精製ジフルオロメタン（Ｒ−３２）と、
約２４〜約２５重量パーセントの精製ペンタフルオロエタン（Ｒ−１２５）と、
約２５〜約２６重量パーセントの精製１，１，１，２−テトラフルオロエタン（Ｒ−１３４ａ）と、
約２５〜約２６重量パーセントの２，３，３，３−テトラフルオロプロペン（ＨＦＯ−１２３４ｙｆ）と、を含む、実施形態１〜９、１８、及び１９のいずれか１つに記載のプロセス。
２１．ヒドロフルオロカーボン化合物が、１，１，１，２−テトラフルオロエタン（Ｒ−１３４ａ）である、実施形態１〜９のいずれか１つに記載のプロセス。
２２．ヒドロフルオロオレフィンが、２，３，３，３−テトラフルオロプロペン（ＨＦＯ−１２３４ｙｆ）である、実施形態１〜９及び２１のいずれか１つに記載のプロセス。
２３．冷媒ブレンドが、
約４３〜約４５重量パーセントの精製１，１，１，２−テトラフルオロエタン（Ｒ−１３４ａ）と、
約５５〜約５７重量パーセントの２，３，３，３−テトラフルオロプロペン（ＨＦＯ−１２３４ｙｆ）と、を含む、実施形態１〜９、２１、及び２２のいずれか１つに記載のプロセス。
２４．冷蔵システムが、空調機、冷凍庫、冷蔵庫、冷却機、ヒートポンプ、移動式冷蔵庫、移動式空調ユニット、浸漬冷却システム、データセンター冷却システム、又はこれらの任意の組み合わせを含む、実施形態１〜２３のいずれか１つに記載のプロセス。
２５．空調機が、自動車用空調機である、実施形態２４に記載のプロセス。
２６．ヒートポンプが、高温ヒートポンプである、実施形態２４に記載のプロセス。
２７．冷却機が、冷水機、満液式蒸発器冷却機、直接膨張冷却機、スクリュー冷却機、スクロール冷却機、又は遠心冷却機である、実施形態２４に記載の方法。
２８．冷蔵庫が、ウォークイン冷蔵庫である、実施形態２４に記載のプロセス。
２９．冷凍庫が、ウォークイン冷凍庫である、実施形態２４に記載のプロセス。
３０．工程（ｂ）の精製が、１種以上のヒドロフルオロカーボン化合物から固形不純物を除去することを含む、実施形態１〜２９のいずれか１つに記載のプロセス。
３１．固形不純物が、圧力濾過、真空濾過、膜遠心濾過、重力濾過、深層フィルタ濾過、粒状床濾過、炭素、繊維、又は金属濾過を使用するカートリッジ濾過、及びプレコート濾過から選択される１種以上の精製技術によって除去される、実施形態１〜３０のいずれか１つに記載のプロセス。
３２．工程（ｂ）の精製が、１種以上のヒドロフルオロカーボン化合物から、液体不純物、気体不純物、又はこれらの組み合わせを除去することを含む、実施形態１〜３１のいずれか１つに記載のプロセス。
３３．液体不純物、気体不純物、又はこれらの組み合わせが、蒸留、デカンテーション、分子篩との接触、及び蒸気空間パージ（vapor space purging）から選択される１種以上の精製技術によって除去される、実施形態１〜３２のいずれか１つに記載のプロセス。
３４．工程（ｅ）の精製が、１種以上のヒドロフルオロオレフィンから固形不純物を除去することを含む、実施形態７〜３３のいずれか１つに記載のプロセス。
３５．固形不純物が、圧力濾過、真空濾過、膜遠心濾過、重力濾過、深層フィルタ濾過、粒状床濾過、炭素、繊維、又は金属濾過を使用するカートリッジ濾過、及びプレコート濾過から選択される１種以上の精製技術によって除去される、実施形態３４に記載のプロセス。
３６．工程（ｅ）の精製が、１種以上のヒドロフルオロオレフィンから、液体不純物、気体不純物、又はこれらの組み合わせを除去することを含む、実施形態７〜３５のいずれか１つに記載のプロセス。
３７．液体不純物、気体不純物、又はこれらの組み合わせが、蒸留、デカンテーション、分子篩との接触、及び蒸気空間パージ（vapor space purging）から選択される１種以上の精製技術によって除去される、実施形態３６に記載のプロセス。
３８．いくつかの実施形態では、本出願は、冷媒ブレンドの地球温暖化係数を低下させるプロセスであって、
（ａ）１種以上の冷蔵、空調、又はヒートポンプシステムから回収された１種以上のヒドロフルオロカーボンを選択する工程と、
（ｂ）１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、精製冷媒ブレンドを形成する工程と、を含み、
精製冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、低下した地球温暖化係数を有し、
１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）から選択される、プロセスを更に提供する。
３９．１種以上のヒドロフルオロオレフィンが、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、実施形態３８に記載のプロセス。
４０．冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、約１０％以下である有効地球温暖化係数を有する、実施形態３８又は３９に記載の方法。
４１．精製冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、約５％以下である有効地球温暖化係数を有する、実施形態３８又は３９に記載の方法。
４２．冷媒ブレンドが、１種以上のヒドロフルオロオレフィン、並びに工程（ｂ）〜（ｃ）に従って回収及び精製されていない１種以上のヒドロフルオロカーボン化合物を含む冷媒ブレンドと比較して、約１％以下である有効地球温暖化係数を有する、実施形態３８又は３９に記載の方法。
４３．実施形態１〜４２のいずれか１つに記載のプロセスに従って調製された冷媒ブレンドを含む、冷蔵、空調、又はヒートポンプシステム。
【０１８０】
本発明をその詳細な説明と併せて説明してきたが、前述の説明は、添付の特許請求の範囲により規定される本発明の範囲を例示することを意図し、かつ限定するものではないことを理解すべきである。他の態様、利点、及び変更は、以下の特許請求の範囲内である。本発明が、本発明の任意の特定の態様及び／又は実施形態に関して本明細書に記載される特徴のいずれも、本明細書に記載される本発明の任意の他の態様及び／又は実施形態の他の特徴のいずれかのうちの１つ以上と組み合わせることができ、組み合わせの適合性を確実にするために適宜変更することができることが、当業者により理解されるべきである。このような組み合わせは、本開示により企図される本発明の一部であるとみなされる。
【手続補正書】
【提出日】令和3年1月4日(2021.1.4)
【手続補正１】
【補正対象書類名】特許請求の範囲
【補正対象項目名】全文
【補正方法】変更
【補正の内容】
【特許請求の範囲】
【請求項１】
１種以上の回収されたヒドロフルオロカーボン化合物を含む冷媒ブレンドを調製するプロセスであって、
（ａ）１種以上の冷蔵システムから前記１種以上のヒドロフルオロカーボンを回収する工程と、
（ｂ）前記１種以上のヒドロフルオロカーボン化合物を精製して、１種以上の精製ヒドロフルオロカーボン化合物を形成する工程と、
（ｃ）前記１種以上の精製ヒドロフルオロカーボン化合物を、約２０未満の地球温暖化係数を有する１種以上のヒドロフルオロオレフィンとブレンドして、前記冷媒ブレンドを形成する工程と、を含み、
前記１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）、又はこれらの任意の混合物から選択される、プロセス。
【請求項２】
（ｄ）１種以上の冷蔵、空調、又はヒートポンプシステムから前記１種以上のヒドロフルオロオレフィンを回収する工程と、
（ｅ）前記１種以上のヒドロフルオロオレフィンを精製して、１種以上の精製ヒドロフルオロオレフィンを形成する工程と、を更に含む、請求項１に記載のプロセス。
【請求項３】
前記１種以上のヒドロフルオロオレフィンが、（Ｚ）−１，１，１，４，４，４−ヘキサフルオロブタ−２−エンＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、請求項１又は２に記載のプロセス。
【請求項４】
前記冷媒ブレンドが、
約２１〜約２２重量パーセントの精製ジフルオロメタン（Ｒ−３２）及び
約７８〜約７９重量パーセントの２，３，３，３−テトラフルオロプロペン（ＨＦＯ−１２３４ｙｆ）；
約６８〜約６９重量パーセントの精製ジフルオロメタン（Ｒ−３２）及び
約３０〜約３１重量パーセントの２，３，３，３−テトラフルオロプロペン（ＨＦＯ−１２３４ｙｆ）；
約３４〜約３６重量パーセントの精製ジフルオロメタン（Ｒ−３２）及び
約６４〜約６６重量パーセントの２，３，３，３−テトラフルオロプロペン（ＨＦＯ−１２３４ｙｆ）；
約６６〜約６８重量パーセントの精製ジフルオロメタン（Ｒ−３２）、
約６〜約８重量パーセントの精製ペンタフルオロエタン（Ｒ−１２５）、及び
約２５〜約２７重量パーセントの２，３，３，３−テトラフルオロプロペン（ＨＦＯ−１２３４ｙｆ）；
約２４〜約２５重量パーセントの精製ジフルオロメタン（Ｒ−３２）、
約２４〜約２５重量パーセントの精製ペンタフルオロエタン（Ｒ−１２５）、
約２５〜約２６重量パーセントの精製１，１，１，２−テトラフルオロエタン（Ｒ−１３４ａ）、及び
約２５〜約２６重量パーセントの２，３，３，３−テトラフルオロプロペン（ＨＦＯ−１２３４ｙｆ）；並びに
約４３〜約４５重量パーセントの精製１，１，１，２−テトラフルオロエタン（Ｒ−１３４ａ）及び
約５５〜約５７重量パーセントの２，３，３，３−テトラフルオロプロペン（ＨＦＯ−１２３４ｙｆ）からなる群から選択される組成物を含む、請求項１、２、又は３に記載のプロセス。
【請求項５】
前記冷蔵システムが、空調機、冷凍庫、冷蔵庫、冷却機、ヒートポンプ、移動式冷蔵庫、移動式空調ユニット、浸漬冷却システム、データセンター冷却システム、又はこれらの任意の組み合わせを含む、請求項１〜４のいずれかに記載のプロセス。
【請求項６】
前記空調機が、自動車用空調機である、請求項１〜５のいずれかに記載のプロセス。
【請求項７】
工程（ｂ）の前記精製が、前記１種以上のヒドロフルオロカーボン化合物から固形不純物を除去することを含む、請求項１〜６のいずれかに記載のプロセス。
【請求項８】
前記固形不純物が、圧力濾過、真空濾過、膜遠心濾過、重力濾過、深層フィルタ濾過、粒状床濾過、炭素、繊維、又は金属濾過を使用するカートリッジ濾過、及びプレコート濾過から選択される１種以上の精製技術によって除去される、請求項１〜７のいずれかに記載のプロセス。
【請求項９】
工程（ｂ）の前記精製が、前記１種以上のヒドロフルオロカーボン化合物から、液体不純物、気体不純物、又はこれらの組み合わせを除去することを含む、請求項１〜８のいずれかに記載のプロセス。
【請求項１０】
前記液体不純物、気体不純物、又はこれらの組み合わせが、蒸留、デカンテーション、分子篩との接触、及び蒸気空間パージから選択される１種以上の精製技術によって除去される、請求項１〜９のいずれかに記載のプロセス。
【請求項１１】
工程（ｅ）の前記精製が、前記１種以上のヒドロフルオロオレフィンから固形不純物を除去することを含み、前記固形不純物が、圧力濾過、真空濾過、膜遠心濾過、重力濾過、深層フィルタ濾過、粒状床濾過、炭素、繊維、又は金属濾過を使用するカートリッジ濾過、及びプレコート濾過から選択される１種以上の精製技術によって除去される、請求項１〜１０のいずれかに記載のプロセス。
【請求項１２】
工程（ｅ）の前記精製が、前記１種以上のヒドロフルオロオレフィンから、液体不純物、気体不純物、又はこれらの組み合わせを除去することを含み、前記液体不純物、気体不純物、又はこれらの組み合わせが、蒸留、デカンテーション、分子篩との接触、及び蒸気空間パージから選択される１種以上の精製技術によって除去される、請求項１〜１１のいずれかに記載のプロセス。
【請求項１３】
冷媒ブレンドの地球温暖化係数を低下させるプロセスであって、
（ａ）１種以上の冷蔵システムから回収された１種以上のヒドロフルオロカーボンを選択する工程と、
（ｂ）前記１種以上のヒドロフルオロカーボン化合物を精製して、１種以上の精製ヒドロフルオロカーボン化合物を形成する工程と、
（ｃ）１種以上の精製ヒドロフルオロカーボン化合物を、約２０未満の地球温暖化係数を有する１種以上のヒドロフルオロオレフィンとブレンドして、精製冷媒ブレンドを形成する工程と、を含み、
前記精製冷媒ブレンドが、前記１種以上のヒドロフルオロオレフィン、並びに工程（ｂ）〜（ｃ）に従って回収及び精製されていない１種以上のヒドロフルオロカーボン化合物を含む冷媒ブレンドと比較して、低下した地球温暖化係数を有し、
前記１種以上のヒドロフルオロカーボン化合物が、ジフルオロメタン（Ｒ−３２）、ペンタフルオロエタン（Ｒ−１２５）、１，１，１，２−テトラフルオロエタン（Ｒ−１３４ａ）、１，１−ジフルオロエタン（ＨＦＣ−１５２ａ）、１，１，２，２−テトラフルオロエタン（ＨＦＣ−１３４）、及び１，１，１，２，３，３，３−ヘプタフルオロプロパン（ＨＦＣ−２２７ｅａ）から選択され、
前記１種以上のヒドロフルオロオレフィンが、（Ｚ）−１，１，１，４，４，４−ヘキサフルオロブタ−２−エン（ＨＦＯ−１３３６ｍｚｚ−（Ｚ））、（Ｅ）−１，１，１，４，４，４−ヘキサフルオロブタ−２−エン（ＨＦＯ−１３３６ｍｚｚ−（Ｅ））、２，３，３，３−テトラフルオロプロペン（ＨＦＯ−１２３４ｙｆ）、（Ｅ）−１，３，３，３−テトラフルオロプロペン（ＨＦＯ−１２３４ｚｅ−（Ｅ））、トリフルオロエチレン（ＨＦＯ−１１２３）、（Ｅ）−１，２，３，３，３−ペンタフルオロプロペン（ＨＦＯ−１２２５ｙｅ−（Ｅ）、及び３，３，３−トリフルオロプロペン（ＨＦＯ−１２４３ｚｆ）、又はこれらの任意の混合物からなる群から選択される、プロセス。
【請求項１４】
請求項１〜１２のいずれかに記載のプロセスに従って調製された冷媒ブレンドを含む、冷蔵、空調、又はヒートポンプシステム。
【国際調査報告】
2021529853.tif 000017
2021529853.tif 000018